(57)【特許請求の範囲】
【請求項１】
プライマリキャリアのサブキャリアのタイムスロットの対を送信するステップであって、タイムスロットの前記対を送信するステップは、タイムスロットの前記対の各々の、それぞれの最後のリソース要素および最後から２番目のリソース要素において復調参照信号を送信するステップを含む、ステップと、
前記プライマリキャリアとアグリゲートされる拡張リソースキャリアのサブキャリアの第１のタイムスロットおよび第２のタイムスロットを送信するステップであって、前記第１のタイムスロットは、第１のリソース要素から最後のリソース要素まで順序付けされる第１の複数のリソース要素を有する、ステップと
を含み、
前記拡張リソースキャリアの前記サブキャリアの前記第１のタイムスロットおよび前記第２のタイムスロットを送信するステップは、
前記最後のリソース要素でない、前記第１の複数のリソース要素の選択された１つにおいて第１のシンボルを送信するステップであって、前記第１のシンボルは、ユーザ機器固有の復調参照信号である、ステップと、
前記第１の複数のリソース要素の前記最後のリソース要素において第２のシンボルを送信するステップであって、前記第２のシンボルは、ユーザ機器固有の復調参照信号以外である、ステップと
を含む、ことを特徴とする方法。
【請求項２】
前記拡張リソースキャリアは、キャリアセグメント、拡張キャリア、またはセカンダリセルのキャリアのうちの少なくとも１つである、ことを特徴とする請求項１に記載の方法。
【請求項３】
前記プライマリキャリアの前記サブキャリアのタイムスロットの前記対は、前記拡張リソースキャリアの前記サブキャリアの前記第１のタイムスロットおよび前記第２のタイムスロットとともに同時に送信される、ことを特徴とする請求項１に記載の方法。
【請求項４】
前記最後のリソース要素でない、前記第１の複数のリソース要素の第２の選択された１つにおいて第３のシンボルを送信するステップをさらに含み、前記第３のシンボルは、ユーザ機器固有の復調参照信号である、ことを特徴とする請求項１に記載の方法。
【請求項５】
前記第１の複数のリソース要素の第１の選択された１つおよび前記第２の選択された１つは、それぞれ、前記拡張リソースキャリアの前記サブキャリアの前記第１のタイムスロットにおいて相互に近接している、ことを特徴とする請求項４に記載の方法。
【請求項６】
前記第１の複数のリソース要素の第１の選択された１つおよび前記第２の選択された１つは、それぞれ、前記拡張リソースキャリアの前記サブキャリアの前記第１のタイムスロットにおいて相互から隔置される、ことを特徴とする請求項４に記載の方法。
【請求項７】
前記拡張リソースキャリアの前記サブキャリアの前記第２のタイムスロットは、第２の複数のリソース要素を有し、前記拡張リソースキャリアの前記サブキャリアの前記第２のタイムスロットを送信するステップは、前記第２の複数のリソース要素の選択された１つにおいて第３のシンボルを送信するステップを含み、前記第３のシンボルは、ユーザ機器固有の復調参照信号である、ことを特徴とする請求項１に記載の方法。
【請求項８】
前記第１のシンボルおよび前記第３のシンボルは、それぞれ、前記第１の複数のリソース要素および前記第２の複数のリソース要素に対して同等の位置に配置される、ことを特徴とする請求項７に記載の方法。
【請求項９】
前記第１のシンボルおよび前記第３のシンボルは、それぞれ、前記第１の複数のリソース要素および前記第２の複数のリソース要素に対して異なる位置に配置される、ことを特徴とする請求項７に記載の方法。
【請求項１０】
前記プライマリキャリアの第２のサブキャリアのタイムスロットの第２の対を送信するステップであって、タイムスロットの前記第２の対を送信するステップは、タイムスロットの前記第２の対の各々の、それぞれの最後のリソース要素および最後から２番目のリソース要素において復調参照信号を送信するステップを含む、ステップと、
前記拡張リソースキャリアの第２のサブキャリアの第１のタイムスロットおよび第２のタイムスロットを送信するステップであって、前記第２のサブキャリアの前記第１のタイムスロットは、第１のリソース要素から最後のリソース要素まで順序付けされる第２の複数のリソース要素を有する、ステップと
をさらに含み、
前記第２のサブキャリアの前記第１のタイムスロットおよび前記第２のタイムスロットを送信するステップは、
前記最後のリソース要素でない、前記第２の複数のリソース要素の選択された１つにおいて第３のシンボルを送信するステップであって、前記第３のシンボルは、ユーザ機器固有の復調参照信号である、ステップと、
前記第２の複数のリソース要素の前記最後のリソース要素において第４のシンボルを送信するステップであって、前記第４のシンボルは、ユーザ機器固有の復調参照信号以外である、送信するステップと
を含むことを特徴とする請求項１に記載の方法。
【請求項１１】
前記第１のシンボルおよび前記第３のシンボルは、それぞれ、前記第１の複数のリソース要素および前記第２の複数のリソース要素に対して異なる位置に配置される、ことを特徴とする請求項１０に記載の方法。
【請求項１２】
前記拡張リソースキャリアの第１のサブキャリアを送信するステップの後に、および、前記拡張リソースキャリアの前記第２のサブキャリアを送信するステップの前に、前記拡張リソースキャリアの第３のサブキャリアを送信するステップであって、前記拡張リソースキャリアの前記第３のサブキャリアは、ユーザ機器固有の復調参照信号を有さない、ステップをさらに含む、ことを特徴とする請求項１０に記載の方法。
【請求項１３】
ワイヤレス通信システムに関連するデバイスであって、
前記デバイスに、
プライマリキャリアのサブキャリアのタイムスロットの対を送信することであって、タイムスロットの前記対を送信することは、タイムスロットの前記対の各々の、それぞれの最後のリソース要素および最後から２番目のリソース要素において復調参照信号を送信することを含む、ことと、
前記プライマリキャリアとともにアグリゲートされる拡張リソースキャリアのサブキャリアの第１のタイムスロットおよび第２のタイムスロットを送信することであって、前記第１のタイムスロットは、第１のリソース要素から最後のリソース要素まで順序付けされる第１の複数のリソース要素を有する、ことと
を実行させるプロセッサ
を備え、
前記デバイスは、
前記最後のリソース要素でない、前記第１の複数のリソース要素の選択された１つにおいて第１のシンボルを送信することであり、前記第１のシンボルはユーザ機器固有の復調参照信号である、ことと、
前記第１の複数のリソース要素の前記最後のリソース要素において第２のシンボルを送信することであり、前記第２のシンボルはユーザ機器固有の復調参照信号以外である、ことと
により、前記拡張リソースキャリアの前記サブキャリアの前記第１のタイムスロットを送信する、ことを特徴とするデバイス。
【請求項１４】
前記拡張リソースキャリアは、キャリアセグメント、拡張キャリア、またはセカンダリセルのキャリアのうちの少なくとも１つである、ことを特徴とする請求項１３に記載のデバイス。
【請求項１５】
前記プロセッサは、前記デバイスに、前記プライマリキャリアの前記サブキャリアのタイムスロットの前記対を、前記拡張リソースキャリアの前記サブキャリアの前記第１のタイムスロットおよび前記第２のタイムスロットとともに同時に送信させる、ことを特徴とする請求項１３に記載のデバイス。
【請求項１６】
前記デバイスは、前記最後のリソース要素でない、前記第１の複数のリソース要素の第２の選択された１つにおいて第３のシンボルを送信することにより、前記拡張リソースキャリアの前記サブキャリアの前記第１のタイムスロットをさらに送信し、前記第３のシンボルは、ユーザ機器固有の復調参照信号である、ことを特徴とする請求項１３に記載のデバイス。
【請求項１７】
前記第１の複数のリソース要素の第１の選択された１つおよび前記第２の選択された１つは、それぞれ、前記拡張リソースキャリアの前記サブキャリアの前記第１のタイムスロットにおいて相互に近接している、ことを特徴とする請求項１６に記載のデバイス。
【請求項１８】
前記第１の複数のリソース要素の第１の選択された１つおよび前記第２の選択された１つは、それぞれ、前記拡張リソースキャリアの前記サブキャリアの前記第１のタイムスロットにおいて相互から隔置されている、ことを特徴とする請求項１６に記載のデバイス。
【請求項１９】
前記拡張リソースキャリアの前記サブキャリアの前記第２のタイムスロットは、第２の複数のリソース要素を有し、前記拡張リソースキャリアの前記サブキャリアの前記第２のタイムスロットを送信することは、前記第２の複数のリソース要素の選択された１つにおいて第３のシンボルを送信することを含み、前記第３のシンボルは、ユーザ機器固有の復調参照信号である、ことを特徴とする請求項１３に記載のデバイス。
【請求項２０】
前記第１のシンボルおよび前記第３のシンボルは、それぞれ、前記第１の複数のリソース要素および前記第２の複数のリソース要素に対して同等の位置に配置される、ことを特徴とする請求項１９に記載のデバイス。
【請求項２１】
前記第１のシンボルおよび前記第３のシンボルは、それぞれ、前記第１の複数のリソース要素および前記第２の複数のリソース要素に対して異なる位置に配置される、ことを特徴とする請求項１９に記載のデバイス。
【請求項２２】
前記プロセッサは、前記デバイスに、
前記プライマリキャリアの第２のサブキャリアのタイムスロットの第２の対を送信することであって、タイムスロットの前記第２の対を送信することは、タイムスロットの前記第２の対の各々の、それぞれの最後のリソース要素および最後から２番目のリソース要素において復調参照信号を送信することを含む、ことと、
前記拡張リソースキャリアの第２のサブキャリアの第１のタイムスロットおよび第２のタイムスロットを送信することであって、前記第２のサブキャリアの前記第１のタイムスロットは、第１のリソース要素から最後のリソース要素まで順序付けされる第２の複数のリソース要素を有する、ことと
をさらに実行させ、
前記デバイスは、
前記最後のリソース要素でない、前記第２の複数のリソース要素の選択された１つにおいて第３のシンボルを送信することであって、前記第３のシンボルはユーザ機器固有の復調参照信号である、ことと、
前記第２の複数のリソース要素の前記最後のリソース要素において第４のシンボルを送信することであって、前記第４のシンボルはユーザ機器固有の復調参照信号以外である、ことと
により、前記拡張リソースキャリアの前記第２のサブキャリアの前記第１のタイムスロットを送信すること、を特徴とする請求項１３に記載のデバイス。
【請求項２３】
前記第１のシンボルおよび前記第３のシンボルは、それぞれ、前記第１の複数のリソース要素および前記第２の複数のリソース要素に対して異なる位置に配置される、ことを特徴とする請求項２２に記載のデバイス。
【請求項２４】
前記プロセッサは、前記デバイスに、前記拡張リソースキャリアの第１のサブキャリアを送信する後で、前記拡張リソースキャリアの前記第２のサブキャリアを送信する前に、前記拡張リソースキャリアの第３のサブキャリアをさらに送信させ、前記拡張リソースキャリアの前記第３のサブキャリアは、ユーザ機器固有の復調参照信号を有さない、ことを特徴とする請求項２２に記載のデバイス。
【請求項２５】
前記第２の複数のリソース要素は、第１のリソース要素から最後のリソース要素まで順序付けられており、
前記第１のシンボルは、前記第１の複数のリソース要素の前記第１のリソース要素に配置され、前記第３のシンボルは、前記第２の複数のリソース要素の前記第１のリソース要素に配置される、ことを特徴とする請求項７に記載の方法。
【請求項２６】
第２の複数のリソース要素は、第１のリソース要素から最後のリソース要素まで順序付けられており、
前記第１のシンボルは、前記第１の複数のリソース要素の前記第１のリソース要素に配置され、第３のシンボルが、前記第２の複数のリソース要素の前記第１のリソース要素に配置される、ことを特徴とする請求項１７に記載のデバイス。
【発明の詳細な説明】
【技術分野】
【０００１】
拡張キャリアおよびキャリアセグメントに対する参照信号構成に関する。
【背景技術】
【０００２】
関連出願の相互参照
本出願は、その全体が参照により本明細書に組み込まれている、２０１１年８月１２日に出願した米国特許仮出願第６１／５２３，２７６号明細書の優先権を主張するものである。
【０００３】
ワイヤレス通信ネットワーク、例えば第３世代パートナーシッププロジェクト（３ＧＰＰ）規格によって構成されるワイヤレスネットワークは、ワイヤレス通信ネットワークのコアネットワーク（ＣＮ）の１または複数の構成要素と、ワイヤレス通信ネットワークに関連するユーザ機器（ＵＥ）との間で確立され得る、キャリア（例えばプライマリキャリア）を介した信号（例えば音声および／またはデータ信号）の伝送をサポートすることが可能である。ＣＮおよびＵＥの一方または両方は、例えばキャリアのチャネル推定を遂行するために、使用され得るキャリアを介して参照信号を送信することが可能である。
【０００４】
ＵＥによる使用のために利用可能にされ得るワイヤレス通信ネットワーク帯域幅のそれぞれの割り当て分は、例えば、１または複数のキャリア拡大技法を用いることにより拡大され得る。キャリア拡大技法は、プライマリキャリアを補完するように構成される１または複数の拡張キャリアを用いることを含み得る。プライマリキャリアに対して用いられ得るシグナリング体系、例えばプライマリキャリア内部の参照信号の位置は、拡張キャリアに対して用いられる場合に最適な性能をもたらさない場合がある。
【発明の概要】
【０００５】
本明細書で説明されるように、例えば、拡張キャリアおよび／またはキャリアセグメントを介したＣＮとＵＥとの間の伝送性能が最適化され得るように、参照信号が、拡張キャリアおよび／またはキャリアセグメントのそれぞれのリソース要素内部の様々な場所に位置決めされ得る。
【０００６】
方法は、サブキャリアの第１のタイムスロットを送信するステップを含み得る。前記第１のタイムスロットは、第１のリソース要素から最後のリソース要素まで順序付けされ得る第１の複数のリソース要素を有し得る。前記第１のタイムスロットを送信するステップは、前記最後のリソース要素であり得ない、前記第１の複数のリソース要素の選択された１つにおいて第１のシンボルを送信するステップを含み得る。前記第１のシンボルは、ユーザ機器固有の復調参照信号であり得る。前記第１のタイムスロットを送信するステップは、前記第１の複数のリソース要素の前記最後のリソース要素において第２のシンボルを送信するステップを含み得る。前記第２のシンボルは、ユーザ機器固有の復調参照信号以外であり得る。
【０００７】
ワイヤレス送信／受信ユニット（ＷＴＲＵ）は、前記ＷＴＲＵに、サブキャリアの第１のタイムスロットを送信させ得るプロセッサを含み得る。前記第１のタイムスロットは、第１のリソース要素から最後のリソース要素まで順序付けされる第１の複数のリソース要素を有し得る。前記ＷＴＲＵは、前記最後のリソース要素であり得ない、前記第１の複数のリソース要素の選択された１つにおいて第１のシンボルを送信することにより、前記第１のタイムスロットを送信し得る。前記第１のシンボルは、ユーザ機器固有の復調参照信号であり得る。前記ＷＴＲＵは、前記第１の複数のリソース要素の前記最後のリソース要素において第２のシンボルを送信することにより、前記第１のタイムスロットを送信し得る。前記第２のシンボルは、ユーザ機器固有の復調参照信号以外であり得る。
【図面の簡単な説明】
【０００８】
【図１Ａ】１または複数の開示される実施形態が実装され得る、例示の通信システムのシステム図である。
【図１Ｂ】図１Ａに例示される通信システム内部で使用され得る、例示のワイヤレス送信／受信ユニット（ＷＴＲＵ）のシステム図である。
【図１Ｃ】図１Ａに例示される通信システム内部で使用され得る、例示の無線アクセスネットワークおよび例示のコアネットワークのシステム図である。
【図１Ｄ】図１Ａに例示される通信システム内部で使用され得る、例示の無線アクセスネットワークおよび例示のコアネットワークのシステム図である。
【図１Ｅ】図１Ａに例示される通信システム内部で使用され得る、例示の無線アクセスネットワークおよび例示のコアネットワークのシステム図である。
【図２】拡張キャリアのそれぞれの割り当て分を含み得る、例示のリソースブロックグリッド構造のブロック図である。
【図３】例示のキャリアセグメント構造のブロック図である。
【図４】３ＧＰＰリリース１０による２つのアンテナポートに対する復調参照信号（ＤＭ−ＲＳ）に対する位置を図示するブロック図である。
【図５】実施形態による、２つのアンテナポートに対する拡張キャリアおよび／またはキャリアセグメントに対するＤＭ−ＲＳ位置を図示するブロック図である。
【図６】実施形態による、２つのアンテナポートに対する拡張キャリアおよび／またはキャリアセグメントに対するＤＭ−ＲＳ位置を図示するブロック図である。
【図７】実施形態による、２つのアンテナポートに対する拡張キャリアおよび／またはキャリアセグメントに対するＤＭ−ＲＳ位置を図示するブロック図である。
【図８】実施形態による、２つのアンテナポートに対する拡張キャリアおよび／またはキャリアセグメントに対するＤＭ−ＲＳ位置を図示するブロック図である。
【図９Ａ】実施形態による、４つのアンテナポートに対する拡張キャリアおよび／またはキャリアセグメントに対するＤＭ−ＲＳ位置を図示するブロック図である。
【図９Ｂ】実施形態による、４つのアンテナポートに対する拡張キャリアおよび／またはキャリアセグメントに対するＤＭ−ＲＳ位置を図示するブロック図である。
【図１０】実施形態による、アンテナポートに対する拡張キャリアおよび／またはキャリアセグメントに対するＤＭ−ＲＳ位置を図示するブロック図である。
【図１１】実施形態による、アンテナポートに対する拡張キャリアおよび／またはキャリアセグメントに対するセル固有の参照信号（ＣＲＳ）位置を図示するブロック図である。
【図１２】実施形態による、アンテナポートに対する拡張キャリアおよび／またはキャリアセグメントに対するセル固有の参照信号（ＣＲＳ）位置を図示するブロック図である。
【図１３】実施形態による、アンテナポートに対する拡張キャリアおよび／またはキャリアセグメントに対するセル固有の参照信号（ＣＲＳ）位置を図示するブロック図である。
【発明を実施するための形態】
【０００９】
図１Ａは、１または複数の開示される実施形態が実装され得る、一例の通信システム１００の図である。例えばワイヤレスネットワーク（例えば、通信システム１００の１または複数の構成要素を備えるワイヤレスネットワーク）は、ワイヤレスネットワークを越えて（例えば、ワイヤレスネットワークに関連する壁に囲まれた庭を越えて）広がるベアラがＱｏＳ特性を指定され得るように構成され得る。
【００１０】
通信システム１００は、音声、データ、ビデオ、メッセージング、ブロードキャスト等のようなコンテンツを複数のワイヤレスユーザに提供する多重アクセスシステムであり得る。通信システム１００は、複数のワイヤレスユーザが、ワイヤレス帯域幅を含むシステムリソースの共有によってそのようなコンテンツにアクセスすることを可能にし得る。例えば通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）等々のような、１または複数のチャネルアクセス方法を用いることが可能である。
【００１１】
図１Ａに示されるように通信システム１００は、複数のワイヤレス送信／受信ユニット（ＷＴＲＵ）、例えばＷＴＲＵ１０２ａ、１０２ｂ、１０２ｃ、および１０２ｄなどの少なくとも１つのＷＴＲＵ、無線アクセスネットワーク（ＲＡＮ）１０４、コアネットワーク１０６、公衆交換電話ネットワーク（ＰＳＴＮ）１０８、インターネット１１０、ならびに、他のネットワーク１１２を含み得るが、開示される実施形態は、任意の数のＷＴＲＵ、基地局、ネットワーク、および／またはネットワーク要素を企図することが十分認識されるべきである。ＷＴＲＵ１０２ａ、１０２ｂ、１０２ｃ、１０２ｄの各々は、ワイヤレス環境で動作および／または通信するように構成される任意のタイプのデバイスであり得る。例としてＷＴＲＵ１０２ａ、１０２ｂ、１０２ｃ、１０２ｄは、ワイヤレス信号を送信および／または受信するように構成され得るものであり、ユーザ機器（ＵＥ）、移動局、固定または移動式の加入者ユニット、ページャ、セルラー電話、携帯情報端末（ＰＤＡ）、スマートフォン、ラップトップ、ネットブック、パーソナルコンピュータ、ワイヤレスセンサ、家電等々を含み得る。
【００１２】
通信システム１００は、基地局１１４ａおよび基地局１１４ｂをさらに含み得る。基地局１１４ａ、１１４ｂの各々は、ＷＴＲＵ１０２ａ、１０２ｂ、１０２ｃ、１０２ｄのうちの少なくとも１つとワイヤレスにインターフェース接続して、コアネットワーク１０６、インターネット１１０、および／またはネットワーク１１２などの、１または複数の通信ネットワークへのアクセスを容易にするように構成される任意のタイプのデバイスであり得る。例として基地局１１４ａ、１１４ｂは、ベーストランシーバ基地局（ＢＴＳ）、ノード−Ｂ、ｅノードＢ、ホームノードＢ、ホームｅノードＢ、サイト制御装置、アクセスポイント（ＡＰ）、ワイヤレスルータ等々であり得る。基地局１１４ａ、１１４ｂは各々、単一の要素として図示されているが、基地局１１４ａ、１１４ｂは、任意の数の相互接続された基地局および／またはネットワーク要素を含み得ることが十分認識されるべきである。
【００１３】
基地局１１４ａは、ＲＡＮ１０４の一部であり得るものであり、ＲＡＮ１０４は、基地局制御装置（ＢＳＣ）、無線ネットワーク制御装置（ＲＮＣ）、中継ノード等のような他の基地局および／またはネットワーク要素（図示せず）をさらに含み得る。基地局１１４ａおよび／または基地局１１４ｂは、セル（図示せず）と呼ばれる場合がある個別の地理的領域の範囲内でワイヤレス信号を送信および／または受信するように構成され得る。セルは、セルセクタにさらに分割され得る。例えば基地局１１４ａに関連するセルは、３つのセクタに分割され得る。したがって１つの実施形態では基地局１１４ａは、３つのトランシーバを、すなわちセルの各々のセクタに対して１つを含み得る。別の実施形態では基地局１１４ａは、多入力多出力（ＭＩＭＯ）技術を用いる場合があり、したがってセルの各々のセクタに対して複数のトランシーバを利用することが可能である。
【００１４】
基地局１１４ａ、１１４ｂは、エアインターフェース１１６を介してＷＴＲＵ１０２ａ、１０２ｂ、１０２ｃ、１０２ｄのうちの１または複数と通信することが可能であり、エアインターフェース１１６は、任意の適したワイヤレス通信リンク（例えば、無線周波数（ＲＦ）、マイクロ波、赤外線（ＩＲ）、紫外線（ＵＶ）、可視光線等）であり得る。エアインターフェース１１６は、任意の適した無線アクセス技術（ＲＡＴ）を使用して確立され得る。
【００１５】
より具体的には、上記に記載されたように通信システム１００は、多重アクセスシステムであり得るとともに、ＣＤＭＡ、ＴＤＭＡ、ＦＤＭＡ、ＯＦＤＭＡ、ＳＣ−ＦＤＭＡ等々のような、１または複数のチャネルアクセススキームを用いることが可能である。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１６を確立し得る、ユニバーサル移動体通信システム（ＵＭＴＳ）地上無線アクセス（ＵＴＲＡ）などの無線技術を実装することが可能である。ＷＣＤＭＡは、高速パケットアクセス（ＨＳＰＡ）および／または進化型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１６】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立し得る、進化型ＵＭＴＳ地上無線アクセス（Ｅ−ＵＴＲＡ）などの無線技術を実装することが可能である。
【００１７】
他の実施形態では、基地局１１４ａ、およびＷＴＲＵ１０２ａ、１０２ｂ、１０２ｃは、ＩＥＥＥ８０２．１６（すなわち、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、移動通信用グローバルシステム（ＧＳＭ（登録商標））、ＧＳＭ進化型高速データレート（ＥＤＧＥ）、ＧＳＭ  ＥＤＧＥ（ＧＥＲＡＮ）等々のような無線技術を実装することが可能である。
【００１８】
図１Ａでの基地局１１４ｂは、例えばワイヤレスルータ、ホームノードＢ、ホームｅノードＢ、またはアクセスポイントであり得るとともに、仕事場、自宅、乗物、構内等々のような局限された区域内のワイヤレス接続性を容易にするための任意の適したＲＡＴを利用することが可能である。１つの実施形態では、基地局１１４ｂ、およびＷＴＲＵ１０２ｃ、１０２ｄは、ＩＥＥＥ８０２．１１などの無線技術を実装して、ワイヤレスローカルエリアネットワーク（ＷＬＡＮ）を確立することが可能である。別の実施形態では、基地局１１４ｂ、およびＷＴＲＵ１０２ｃ、１０２ｄは、ＩＥＥＥ８０２．１５などの無線技術を実装して、ワイヤレスパーソナルエリアネットワーク（ＷＰＡＮ）を確立することが可能である。さらに別の実施形態では、基地局１１４ｂ、およびＷＴＲＵ１０２ｃ、１０２ｄは、セルラーベースのＲＡＴ（例えば、ＷＣＤＭＡ、ＣＤＭＡ２０００、ＧＳＭ、ＬＴＥ、ＬＴＥ−Ａ等）を利用して、ピコセルまたはフェムトセルを確立することが可能である。図１Ａに示されるように基地局１１４ｂは、インターネット１１０との直接接続を有し得る。したがって基地局１１４ｂは、コアネットワーク１０６を経由してインターネット１１０にアクセスするようには要求され得ない。
【００１９】
ＲＡＮ１０４は、コアネットワーク１０６と通信状態にあり得るものであり、コアネットワーク１０６は、ＷＴＲＵ１０２ａ、１０２ｂ、１０２ｃ、１０２ｄの１または複数に、音声、データ、アプリケーション、および／または、ボイスオーバーインターネットプロトコル（ＶｏＩＰ）サービスを提供するように構成される任意のタイプのネットワークであり得る。例えばコアネットワーク１０６は、呼制御、課金サービス、モバイルロケーションベースのサービス、プリペイド通話、インターネット接続性、ビデオ配信等を提供し、および／または、ユーザ認証などの高レベルセキュリティ機能を遂行することが可能である。図１Ａには示されないが、ＲＡＮ１０４および／またはコアネットワーク１０６は、ＲＡＮ１０４と同じＲＡＴを、または異なるＲＡＴを用いる他のＲＡＮと、直接または間接の通信状態にあり得ることが十分認識されるべきである。例えば、Ｅ−ＵＴＲＡ無線技術を利用している場合があるＲＡＮ１０４に接続されることに加えて、コアネットワーク１０６は、ＧＳＭ無線技術を用いる別のＲＡＮ（図示せず）とさらに通信状態にある場合がある。
【００２０】
コアネットワーク１０６は、ＷＴＲＵ１０２ａ、１０２ｂ、１０２ｃ、１０２ｄが、ＰＳＴＮ１０８、インターネット１１０、および／または、他のネットワーク１１２にアクセスするためのゲートウェイの働きもし得る。ＰＳＴＮ１０８は、単純な旧式の電話サービス（ｐｌａｉｎ  ｏｌｄ  ｔｅｌｅｐｈｏｎｅ  ｓｅｒｖｉｃｅ）（ＰＯＴＳ）を提供する回線交換電話ネットワークを含み得る。インターネット１１０は、ＴＣＰ／ＩＰインターネットプロトコルスイートにおいての伝送制御プロトコル（ＴＣＰ）、ユーザデータグラムプロトコル（ＵＤＰ）、およびインターネットプロトコル（ＩＰ）などの共通通信プロトコルを使用する、相互接続されたコンピュータネットワークおよびデバイスの全地球的システムを含み得る。ネットワーク１１２は、他のサービスプロバイダにより所有および／または運営される、有線またはワイヤレス通信ネットワークを含み得る。例えばネットワーク１１２は、ＲＡＮ１０４と同じＲＡＴを、または異なるＲＡＴを用い得る、１または複数のＲＡＮに接続される別のコアネットワークを含み得る。
【００２１】
通信システム１００内のＷＴＲＵ１０２ａ、１０２ｂ、１０２ｃ、１０２ｄの一部または全部はマルチモード能力を含み得るものであり、すなわちＷＴＲＵ１０２ａ、１０２ｂ、１０２ｃ、１０２ｄは、異なるワイヤレスリンクを介して異なるワイヤレスネットワークと通信するための複数のトランシーバを含み得る。例えば図１Ａに示されるＷＴＲＵ１０２ｃは、セルラーベースの無線技術を用い得る基地局１１４ａと、および、ＩＥＥＥ８０２無線技術を用い得る基地局１１４ｂと通信するように構成され得る。
【００２２】
図１Ｂは、一例のＷＴＲＵ１０２のシステム図である。図１Ｂに示されるようにＷＴＲＵ１０２は、プロセッサ１１８、トランシーバ１２０、送信／受信要素１２２、スピーカ／マイクロホン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および、他の周辺装置１３８を含み得る。ＷＴＲＵ１０２は、実施形態と矛盾しない状態を保ちながら、前述の要素の任意の部分的組み合わせを含み得ることが十分認識されるべきである。
【００２３】
プロセッサ１１８は、多目的プロセッサ、特殊目的プロセッサ、従来型プロセッサ、デジタル信号プロセッサ（ＤＳＰ）、複数のマイクロプロセッサ、ＤＳＰコアに関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械等々であり得る。プロセッサ１１８は、信号符号化、データ処理、電力制御、入出力処理、および／または、ＷＴＲＵ１０２がワイヤレス環境で動作することを可能にする任意の他の機能性を遂行し得る。プロセッサ１１８は、送信／受信要素１２２に結合され得るトランシーバ１２０に結合され得る。図１Ｂはプロセッサ１１８およびトランシーバ１２０を別々の構成要素として図示しているが、プロセッサ１１８およびトランシーバ１２０は、電子パッケージまたはチップ内に一体に集積され得ることが十分認識されるべきである。
【００２４】
送信／受信要素１２２は、エアインターフェース１１６を介して基地局（例えば基地局１１４ａ）に信号を送信し、またはその基地局から信号を受信するように構成され得る。例えば１つの実施形態では送信／受信要素１２２は、ＲＦ信号を送信および／または受信するように構成されるアンテナであり得る。別の実施形態では送信／受信要素１２２は、例えばＩＲ信号、ＵＶ信号、または可視光線信号を送信および／または受信するように構成される放射器／検出器であり得る。さらに別の実施形態では送信／受信要素１２２は、ＲＦ信号および光信号の両方を送信および受信するように構成され得る。送信／受信要素１２２は、ワイヤレス信号の任意の組み合わせを送信および／または受信するように構成され得ることが十分認識されるべきである。
【００２５】
加えて、送信／受信要素１２２は単一の要素として図１Ｂに図示されているが、ＷＴＲＵ１０２は、任意の数の送信／受信要素１２２を含み得る。より具体的にはＷＴＲＵ１０２は、ＭＩＭＯ技術を用いる場合がある。したがって１つの実施形態ではＷＴＲＵ１０２は、エアインターフェース１１６を介してワイヤレス信号を送信および受信するための２つ以上の送信／受信要素１２２（例えば、複数のアンテナ）を含み得る。
【００２６】
トランシーバ１２０は、送信／受信要素１２２により送信されることになる信号を変調するように、および、送信／受信要素１２２により受信される信号を復調するように構成され得る。上記に記載されたようにＷＴＲＵ１０２は、マルチモード能力を有し得る。したがってトランシーバ１２０は、ＷＴＲＵ１０２が、例えばＵＴＲＡおよびＩＥＥＥ８０２．１１などの複数のＲＡＴによって通信することを可能にするための複数のトランシーバを含み得る。
【００２７】
ＷＴＲＵ１０２のプロセッサ１１８は、スピーカ／マイクロホン１２４、キーパッド１２６、および／または、ディスプレイ／タッチパッド１２８（例えば、液晶ディスプレイ（ＬＣＤ）ディスプレイユニット、または、有機発光ダイオード（ＯＬＥＤ）ディスプレイユニット）に結合され得るとともに、スピーカ／マイクロホン１２４、キーパッド１２６、および／または、ディスプレイ／タッチパッド１２８からユーザ入力データを受信することが可能である。プロセッサ１１８は、スピーカ／マイクロホン１２４、キーパッド１２６、および／または、ディスプレイ／タッチパッド１２８にユーザデータを出力することがさらに可能である。加えてプロセッサ１１８は、非リムーバブルメモリ１３０および／またはリムーバブルメモリ１３２などの任意のタイプの適したメモリからの情報にアクセスし、その任意のタイプの適したメモリにデータを記憶することが可能である。非リムーバブルメモリ１３０は、ランダムアクセスメモリ（ＲＡＭ）、読み出し専用メモリ（ＲＯＭ）、ハードディスク、または、任意の他のタイプのメモリ記憶デバイスを含み得る。リムーバブルメモリ１３２は、加入者識別モジュール（ＳＩＭ）カード、メモリスティック、ＳＤ（ｓｅｃｕｒｅ  ｄｉｇｉｔａｌ）メモリカード等々を含み得る。他の実施形態ではプロセッサ１１８は、サーバまたはホームコンピュータ（図示せず）上など、ＷＴＲＵ１０２上に物理的に配置されていないメモリからの情報にアクセスし、そのメモリにデータを記憶することが可能である。
【００２８】
プロセッサ１１８は、電源１３４から電力を受け取ることが可能であり、ＷＴＲＵ１０２内の他の構成要素に対する電力を分配および／または制御するように構成され得る。電源１３４は、ＷＴＲＵ１０２に電力供給するための任意の適したデバイスであり得る。例えば電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉイオン）等）、太陽電池、燃料電池等々を含み得る。
【００２９】
プロセッサ１１８は、ＷＴＲＵ１０２の現在の場所に関する場所情報（例えば経度および緯度）を提供するように構成され得るＧＰＳチップセット１３６にさらに結合され得る。ＧＰＳチップセット１３６からの情報に加えて、またはその情報の代わりに、ＷＴＲＵ１０２は、基地局（例えば基地局１１４ａ、１１４ｂ）からエアインターフェース１１６を介して場所情報を受信し、および／または、その場所を、２つ以上の付近の基地局から受信される信号のタイミングに基づいて決定することが可能である。ＷＴＲＵ１０２は、実施形態と矛盾しない状態を保ちながら、任意の適した場所決定方法によって場所情報を取得可能であることが十分認識されるべきである。
【００３０】
プロセッサ１１８は、追加的な特徴、機能性、および／または、有線もしくはワイヤレス接続性を提供する、１または複数のソフトウェアおよび／またはハードウェアモジュールを含み得る、他の周辺装置１３８にさらに結合され得る。例えば周辺装置１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ等々を含み得る。
【００３１】
図１Ｃは、それぞれＲＡＮ１０４およびコアネットワーク１０６の一実装例を含むＲＡＮ１０４ａおよびコアネットワーク１０６ａを含む、通信システム１００の実施形態のシステム図である。上記に記載されたようにＲＡＮ１０４、例えばＲＡＮ１０４ａは、ＵＴＲＡ無線技術を用いて、エアインターフェース１１６を介してＷＴＲＵ１０２ａ、１０２ｂ、および１０２ｃと通信することが可能である。ＲＡＮ１０４ａは、コアネットワーク１０６ａとさらに通信状態にあり得る。図１Ｃに示されるようにＲＡＮ１０４ａは、ノード−Ｂ１４０ａ、１４０ｂ、１４０ｃを含み得るものであり、ノード−Ｂ１４０ａ、１４０ｂ、１４０ｃは各々、エアインターフェース１１６を介してＷＴＲＵ１０２ａ、１０２ｂ、１０２ｃと通信するための１または複数のトランシーバを含み得る。ノード−Ｂ１４０ａ、１４０ｂ、１４０ｃは各々、ＲＡＮ１０４ａの範囲内の個別のセル（図示せず）に関連し得る。ＲＡＮ１０４ａは、ＲＮＣ１４２ａ、１４２ｂをさらに含み得る。ＲＡＮ１０４ａは、実施形態と矛盾しない状態を保ちながら、任意の数のノード−ＢおよびＲＮＣを含み得ることが十分認識されるべきである。
【００３２】
図１Ｃに示されるようにノード−Ｂ１４０ａ、１４０ｂは、ＲＮＣ１４２ａと通信状態にあり得る。加えてノード−Ｂ１４０ｃは、ＲＮＣ１４２ｂと通信状態にあり得る。ノード−Ｂ１４０ａ、１４０ｂ、１４０ｃは、Ｉｕｂインターフェースを介してそれぞれのＲＮＣ１４２ａ、１４２ｂと通信することが可能である。ＲＮＣ１４２ａ、１４２ｂは、Ｉｕｒインターフェースを介して相互に通信状態にあり得る。ＲＮＣ１４２ａ、１４２ｂの各々は、それが接続されるそれぞれのノード−Ｂ１４０ａ、１４０ｂ、１４０ｃを制御するように構成され得る。加えてＲＮＣ１４２ａ、１４２ｂの各々は、アウターループ電力制御、負荷制御、受付制御、パケットスケジューリング、ハンドオーバ制御、マクロダイバーシティ、セキュリティ機能、データ暗号化等々のような他の機能性を実行またはサポートするように構成され得る。
【００３３】
図１Ｃに示されるコアネットワーク１０６ａは、メディアゲートウェイ（ＭＧＷ）１４４、移動交換局（ＭＳＣ）１４６、サービングＧＰＲＳサポートノード（ＳＧＳＮ）１４８、および／または、ゲートウェイＧＰＲＳサポートノード（ＧＧＳＮ）１５０を含み得る。前述の要素の各々はコアネットワーク１０６ａの一部として図示されているが、これらの要素の任意のものが、コアネットワーク運営者以外のエンティティにより所有および／または運営される場合があることが十分認識されるべきである。
【００３４】
ＲＡＮ１０４ａ内のＲＮＣ１４２ａは、ＩｕＣＳインターフェースを介してコアネットワーク１０６ａ内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従前の固定電話通信デバイスとの間の通信を容易にすることが可能である。
【００３５】
ＲＡＮ１０４ａ内のＲＮＣ１４２ａは、ＩｕＰＳインターフェースを介してコアネットワーク１０６ａ内のＳＧＳＮ１４８にさらに接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることが可能である。
【００３６】
上記に記載されたようにコアネットワーク１０６ａは、他のサービスプロバイダにより所有および／または運営される、他の有線またはワイヤレスネットワークを含み得るネットワーク１１２にさらに接続され得る。
【００３７】
図１Ｄは、それぞれＲＡＮ１０４およびコアネットワーク１０６の一実装例を含む、ＲＡＮ１０４ｂおよびコアネットワーク１０６ｂを含む、通信システム１００の実施形態のシステム図である。上記に記載されたようにＲＡＮ１０４、例えばＲＡＮ１０４ｂは、Ｅ−ＵＴＲＡ無線技術を用いて、エアインターフェース１１６を介してＷＴＲＵ１０２ａ、１０２ｂ、および１０２ｃと通信することが可能である。ＲＡＮ１０４ｂは、コアネットワーク１０６ｂとさらに通信状態にあり得る。
【００３８】
ＲＡＮ１０４ｂはｅノード−Ｂ１４０ｄ、１４０ｅ、１４０ｆを含み得るが、ＲＡＮ１０４ｂは、実施形態と矛盾しない状態を保ちながら、任意の数のｅノード−Ｂを含み得ることが十分認識されるべきである。ｅノード−Ｂ１４０ｄ、１４０ｅ、１４０ｆは各々、エアインターフェース１１６を介してＷＴＲＵ１０２ａ、１０２ｂ、１０２ｃと通信するための１または複数のトランシーバを含み得る。１つの実施形態では、ｅノード−Ｂ１４０ｄ、１４０ｅ、１４０ｆはＭＩＭＯ技術を実装する場合がある。したがって例えばｅノード−Ｂ１４０ｄは、複数のアンテナを使用して、ＷＴＲＵ１０２ａにワイヤレス信号を送信し、ＷＴＲＵ１０２ａからワイヤレス信号を受信することが可能である。
【００３９】
ｅノード−Ｂ１４０ｄ、１４０ｅ、および１４０ｆの各々は、個別のセル（図示せず）に関連し得るものであり、無線リソース管理判断、ハンドオーバ判断、アップリンクおよび／またはダウンリンクにおいてのユーザのスケジューリング等々に対処するように構成され得る。図１Ｄに示されるようにｅノード−Ｂ１４０ｄ、１４０ｅ、１４０ｆは、Ｘ２インターフェースを介して相互に通信することが可能である。
【００４０】
図１Ｄに示されるコアネットワーク１０６ｂは、モビリティ管理ゲートウェイ（ＭＭＥ）１４３、サービングゲートウェイ１４５、および、パケットデータネットワーク（ＰＤＮ）ゲートウェイ１４７を含み得る。前述の要素の各々はコアネットワーク１０６ｂの一部として図示されているが、これらの要素の任意のものが、コアネットワーク運営者以外のエンティティにより所有および／または運営される場合があることが十分認識されるべきである。
【００４１】
ＭＭＥ１４３は、Ｓ１インターフェースを介してＲＡＮ１０４ｂ内のｅノード−Ｂ１４０ｄ、１４０ｅ、および１４０ｆの各々に接続され得るものであり、制御ノードの働きをし得る。例えばＭＭＥ１４３は、ＷＴＲＵ１０２ａ、１０２ｂ、１０２ｃのユーザを認証すること、ベアラ活動化／非活動化、ＷＴＲＵ１０２ａ、１０２ｂ、１０２ｃの初期アタッチの間の個別のサービングゲートウェイを選択すること等々に関して責任を負う場合がある。ＭＭＥ１４３は、ＲＡＮ１０４ｂと、ＧＳＭまたはＷＣＤＭＡなどの他の無線技術を用いる他のＲＡＮ（図示せず）との間で交換するための制御プレーン機能をさらに提供し得る。
【００４２】
サービングゲートウェイ１４５は、Ｓ１インターフェースを介してＲＡＮ１０４ｂ内のｅノードＢ１４０ｄ、１４０ｅ、１４０ｆの各々に接続され得る。サービングゲートウェイ１４５は一般的には、ＷＴＲＵ１０２ａ、１０２ｂ、１０２ｃを往来するユーザデータパケットを経路指定および転送することが可能である。サービングゲートウェイ１４５は、ｅノードＢ間のハンドオーバ中にユーザプレーンをアンカリングすること、ダウンリンクデータがＷＴＲＵ１０２ａ、１０２ｂ、１０２ｃに利用可能であるときにページングをトリガすること、ＷＴＲＵ１０２ａ、１０２ｂ、１０２ｃのコンテキストを管理および記憶すること等々のような他の機能を遂行することもまた可能である。
【００４３】
サービングゲートウェイ１４５は、ＰＤＮゲートウェイ１４７にさらに接続され得るものであり、ＰＤＮゲートウェイ１４７は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることが可能である。
【００４４】
コアネットワーク１０６ｂは、他のネットワークとの通信を容易にすることが可能である。例えばコアネットワーク１０６ｂは、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従前の固定電話通信デバイスとの間の通信を容易にすることが可能である。例えばコアネットワーク１０６ｂは、コアネットワーク１０６ｂとＰＳＴＮ１０８との間のインターフェースの働きをする、ＩＰゲートウェイ（例えばＩＰマルチメディアサブシステム（ＩＭＳ）サーバ）を含む場合があり、またはそのＩＰゲートウェイと通信する場合がある。加えてコアネットワーク１０６ｂは、ＷＴＲＵ１０２ａ、１０２ｂ、１０２ｃに、他のサービスプロバイダにより所有および／または運営される、他の有線またはワイヤレスネットワークを含み得るネットワーク１１２へのアクセスを提供することが可能である。
【００４５】
図１Ｅは、それぞれＲＡＮ１０４およびコアネットワーク１０６の一実装例を含む、ＲＡＮ１０４ｃおよびコアネットワーク１０６ｃを含む、通信システム１００の実施形態のシステム図である。ＲＡＮ１０４、例えばＲＡＮ１０４ｃは、ＩＥＥＥ８０２．１６無線技術を用いて、エアインターフェース１１６を介してＷＴＲＵ１０２ａ、１０２ｂ、および１０２ｃと通信するアクセスサービスネットワーク（ＡＳＮ）であり得る。本明細書で説明されるように、ＷＴＲＵ１０２ａ、１０２ｂ、１０２ｃ、ＲＡＮ１０４ｃ、およびコアネットワーク１０６ｃの異なる機能エンティティ間の通信リンクは、参照点として規定され得る。
【００４６】
図１Ｅに示されるようにＲＡＮ１０４ｃは、基地局１０２ａ、１０２ｂ、１０２ｃ、および、ＡＳＮゲートウェイ１４１を含み得るが、ＲＡＮ１０４ｃは、実施形態と矛盾しない状態を保ちながら、任意の数の基地局およびＡＳＮゲートウェイを含み得ることが十分認識されるべきである。基地局１０２ａ、１０２ｂ、１０２ｃは各々、ＲＡＮ１０４ｃ内の個別のセル（図示せず）に関連し得るものであり、各々、エアインターフェース１１６を介してＷＴＲＵ１０２ａ、１０２ｂ、１０２ｃと通信するための１または複数のトランシーバを含み得る。１つの実施形態では、基地局１４０ｇ、１４０ｈ、１４０ｉはＭＩＭＯ技術を実装する場合がある。したがって例えば基地局１４０ｇは、複数のアンテナを使用して、ＷＴＲＵ１０２ａにワイヤレス信号を送信し、ＷＴＲＵ１０２ａからワイヤレス信号を受信することが可能である。基地局１４０ｇ、１４０ｈ、１４０ｉは、ハンドオフトリガリング、トンネル確立、無線リソース管理、トラフィック分類、サービス品質（ＱｏＳ）ポリシー強制等々のようなモビリティ管理機能をさらに提供し得る。ＡＳＮゲートウェイ１４１は、トラフィック集約点の働きをし得るものであり、ページング、加入者プロファイルのキャッシング、コアネットワーク１０６ｃへの経路指定等々に関して責任を負う場合がある。
【００４７】
ＷＴＲＵ１０２ａ、１０２ｂ、１０２ｃとＲＡＮ１０４ｃとの間のエアインターフェース１１６は、ＩＥＥＥ８０２．１６仕様を実装するＲ１参照点として規定され得る。加えてＷＴＲＵ１０２ａ、１０２ｂ、および１０２ｃの各々は、コアネットワーク１０６ｃとの論理インターフェース（図示せず）を確立することが可能である。ＷＴＲＵ１０２ａ、１０２ｂ、１０２ｃとコアネットワーク１０６ｃとの間の論理インターフェースは、認証、許可、ＩＰホスト構成管理、および／またはモビリティ管理のために使用され得る、Ｒ２参照点として規定され得る。
【００４８】
基地局１４０ｇ、１４０ｈ、１４０ｉの各々の間の通信リンクは、ＷＴＲＵハンドオーバおよび基地局間のデータの移送を容易にするためのプロトコルを含む、Ｒ８参照点として規定され得る。基地局１４０ｇ、１４０ｈ、１４０ｉとＡＳＮゲートウェイ１４１との間の通信リンクは、Ｒ６参照点として規定され得る。Ｒ６参照点は、ＷＴＲＵ１０２ａ、１０２ｂ、１０２ｃの各々に関連するモビリティイベントに基づくモビリティ管理を容易にするためのプロトコルを含み得る。
【００４９】
図１Ｅに示されるようにＲＡＮ１０４ｃは、コアネットワーク１０６ｃに接続され得る。ＲＡＮ１０４ｃとコアネットワーク１０６ｃとの間の通信リンクは、例えばデータ移送およびモビリティ管理能力を容易にするためのプロトコルを含む、Ｒ３参照点として規定され得る。コアネットワーク１０６ｃは、モバイルＩＰホームエージェント（ＭＩＰ−ＨＡ）１４４、認証、許可、アカウンティング（ＡＡＡ）サーバ１５６、およびゲートウェイ１５８を含み得る。前述の要素の各々はコアネットワーク１０６ｃの一部として図示されているが、これらの要素の任意のものが、コアネットワーク運営者以外のエンティティにより所有および／または運営される場合があることが十分認識されるべきである。
【００５０】
ＭＩＰ−ＨＡは、ＩＰアドレス管理に関して責任を負う場合があり、ＷＴＲＵ１０２ａ、１０２ｂ、および１０２ｃが、異なるＡＳＮおよび／または異なるコアネットワークの間でローミングすることを可能にし得る。ＭＩＰ−ＨＡ１５４は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることが可能である。ＡＡＡサーバ１５６は、ユーザ認証に関して、およびユーザサービスをサポートすることに関して責任を負う場合がある。ゲートウェイ１５８は、他のネットワークとのインターワーキングを容易にすることが可能である。例えばゲートウェイ１５８は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従前の固定電話通信デバイスとの間の通信を容易にすることが可能である。加えてゲートウェイ１５８は、ＷＴＲＵ１０２ａ、１０２ｂ、１０２ｃに、他のサービスプロバイダにより所有および／または運営される、他の有線またはワイヤレスネットワークを含み得るネットワーク１１２へのアクセスを提供することが可能である。
【００５１】
図１Ｅには示されないが、ＲＡＮ１０４ｃは他のＡＳＮに接続される場合があり、コアネットワーク１０６ｃは他のコアネットワークに接続される場合があることが十分認識されるべきである。ＲＡＮ１０４ｃと他のＡＳＮとの間の通信リンクは、ＲＡＮ１０４ｃと他のＡＳＮとの間のＷＴＲＵ１０２ａ、１０２ｂ、１０２ｃのモビリティを調和させるためのプロトコルを含み得る、Ｒ４参照点として規定され得る。コアネットワーク１０６ｃと他のコアネットワークとの間の通信リンクは、ホームコアネットワークと訪問されるコアネットワークとの間のインターワーキングを容易にするためのプロトコルを含み得る、Ｒ５参照点として規定され得る。
【００５２】
（例えば、３ＧＰＰリリース８、９、１０、および／または将来リリース（以降「Ｒ８＋」）による）ＬＴＥシステムの単一のサービングセルの範囲内で動作するＷＴＲＵは、２×２（例えばデュアルアンテナＭＩＭＯ）構成に対して、ダウンリンク（ＤＬ）上の伝送に対して最高１００Ｍｂｐｓ、およびアップリンク（ＵＬ）上の伝送に対して最高５０Ｍｂｐｓの伝送速度をサポートすることが可能である。ＬＴＥシステムのＤＬ伝送体系は、ＯＦＤＭＡエアインターフェースに基づき得るものである。Ｒ８＋によってＬＴＥシステムは、スケーラブルな伝送帯域幅をサポートすることが可能である。例えば伝送帯域幅は、帯域幅の規定されるセット、例えば、内部でそれぞれおおよそ６、１５、２５、５０、７５、１００個のリソースブロックが送信され得る、１．４ＭＨｚ、２．５ＭＨｚ、５ＭＨｚ、１０ＭＨｚ、１５ＭＨｚ、または２０ＭＨｚのうちのいずれかを使用して、スケールアップおよび／またはスケールダウンすることが可能である。
【００５３】
Ｒ８＋ＬＴＥシステム（例えば、キャリアアグリゲーションをサポートし得る、３ＧＰＰリリース１０および／または将来リリース（以降「Ｒ１０＋」）によるシステム）では、各々の無線フレームは、約１０ミリ秒（ｍｓ）の継続時間を有し得るとともに、１０個の実質的に等しいサイズのサブフレームから形成され得るものであり、そのようなサブフレームＳＦ１が図２に図示されている。各々のサブフレームは、約１ｍｓの継続時間を有し得る。各々のサブフレームは、ＳＦ１のＴＳ１およびＴＳ２のような、２つの実質的に等しいサイズのタイムスロットから形成され得る。各々のタイムスロットは、約０．５ｍｓの継続時間を有し得る。各々のタイムスロットは、それぞれの数のシンボル、例えば、正規のサイクリックプレフィックス（ＣＰ）長による７つのＯＦＤＭシンボル、拡張されたサイクリックプレフィックス（ＣＰ）長による６つのＯＦＤＭシンボル等々を含み得る（および、そのそれぞれの数のシンボルに分解され得る）。
【００５４】
各々のサブフレームは、リソースブロック対を規定し得る、それぞれＲＢ１およびＲＢ２のような、第１のリソースブロック（ＲＢ）および第２のＲＢを含み得る。各々の対の各々のリソースブロックは、各々のサブフレームの個別のタイムスロットに関連し得るものである。各々のサブフレームは、サブキャリアＳＣ１〜ＳＣ１２のような１２個のサブキャリアを含み得る（および、そのサブキャリアに分解され得る）。第１２のサブキャリア（ＳＣ１２）は、サブフレームの最後のサブキャリアと呼ばれる場合がある。サブキャリアは、予め規定されたサブキャリア間隔によって構成され得る。例えばＲ８およびＲ９ＬＴＥシステムによれば、サブキャリア間隔は１５ｋＨｚであり得る。代替的な低減されたサブキャリア間隔モードでは、サブキャリア間隔は７．５ｋＨｚであり得る。
【００５５】
各々のサブキャリアは、複数のリソース要素を含み得る（および、その複数のリソース要素に分解され得る）。各々のリソース要素（ＲＥ）は、選択されたＯＦＤＭシンボル区間の間の選択されたサブキャリアに対応し得る。タイムスロットの間の１２個の連続的なサブキャリアが、１つのＲＢを形成し得る。通常のＣＰ長の一例によれば、ＲＢ１およびＲＢ２の各々のような各々のＲＢは、８４個のＲＥ（１２個のサブキャリア×７つのＯＦＤＭシンボル）を含み得る。したがって各々のサブキャリアは、用いられるＣＰ長による複数のＲＥを含み、例えばＳＣ１〜ＳＣ１２は各々、ＲＢ１に関連するＲＥ１〜ＲＥ７およびＲＢ２に関連するＲＥ１〜ＲＥ７を含み得る。
【００５６】
各々のサブキャリアの各々のタイムスロットでは、それぞれ、各々のＲＥ１はタイムスロットの第１のリソース要素と呼ばれる場合があり、各々のＲＥ２はタイムスロットの第２のリソース要素と呼ばれる場合があり、各々のＲＥ３はタイムスロットの第３のリソース要素と呼ばれる場合があり、各々のＲＥ４はタイムスロットの第４のリソース要素と呼ばれる場合があり、各々のＲＥ５はタイムスロットの第３のリソース要素と呼ばれる場合があり、各々のＲＥ６はタイムスロットの第６のリソース要素と呼ばれる場合があり、各々のＲＥ７は、タイムスロットの第７のリソース要素およびタイムスロットの最後のリソース要素の一方または両方で呼ばれる場合がある。この点に関して、各々のタイムスロットは、第１のリソース要素（例えばＲＥ１）から最後のリソース要素（例えばＲＥ７）まで順序付けされるそれぞれの複数のリソース要素（例えばＲＥ１〜ＲＥ７）を含み得る。拡張されたＣＰが用いられるならば、各々のタイムスロットは６つのＲＥを包含し得るのみであり、したがって各々のＲＥ６が、タイムスロットの第６のリソース要素およびタイムスロットの最後のリソース要素の一方または両方で呼ばれる場合がある。
【００５７】
キャリア（例えばＤＬキャリア）は、スケーラブルな数のリソースブロック、例えば６つのＲＢから１１０個のＲＢまでを含み得る。ＲＢの数は、全体的なスケーラブルな伝送帯域幅によって、例えば任意の本明細書で説明される予め規定された帯域幅によって、スケールアップおよび／またはスケールダウンされ得る。
【００５８】
動的スケジューリングのための基本的な時間ドメイン単位は、１つのサブフレーム（例えば、２つの連続的なタイムスロット）であり得るものであり、リソースブロック対と呼ばれる場合がある。
【００５９】
一部のＯＦＤＭシンボル上の選択されたサブキャリアが、時間−周波数グリッドにおいてパイロット信号を搬送することを割り振られる場合がある。伝送帯域幅の縁部での選択された数のサブキャリアが、例えばスペクトルマスク要件に準拠するように送信されない場合がある。
【００６０】
いくつかのマルチアンテナ伝送モードがサポートされ得る。ＬＴＥシステムでは各々のマルチアンテナ伝送モードが、選択された伝送モード（ＴＭ）と呼ばれる場合がある。ＴＭは、例えば入力対アンテナポートマッピングにおいて、および／または、どの参照信号が復調のために使用され得るかの点で、相互に対して異なり得るものである。ダウンリンク共有チャネル（ＤＬ−ＳＣＨ）伝送に対して規定される伝送モードは、ＴＭ１（単一のアンテナ伝送）、ＴＭ２（送信ダイバーシティ）、ＴＭ３（２つ以上のレイヤの場合は開ループコードブックベースのプリコーディング、そうでなければ、ランク１伝送の場合は送信ダイバーシティ）、ＴＭ４（閉ループコードブックベースのプリコーディング）、ＴＭ５（ＴＭ４のマルチユーザＭＩＭＯバージョン）、ＴＭ６（単一のレイヤ伝送に限定されるコードブックベースのプリコーディング）、ＴＭ７（単一のレイヤ伝送を伴うＲ８非コードブックベースのプリコーディング）、ＴＭ８（２つのレイヤまでサポートするＲ９非コードブックベースのプリコーディング）、およびＴＭ９（８つのレイヤまでサポートするＲ１０非コードブックベースのプリコーディング）を含み得る。
【００６１】
Ｒ８＋ＬＴＥシステムではＵＥは、ＤＬ上で１または複数の参照信号（ＲＳ）を受信することが可能である。参照信号は、セル固有の参照信号（ＣＲＳ）、ＵＥ固有であり得る復調参照信号（ＤＭ−ＲＳ）、および／または、チャネル状態情報（ＣＳＩ）ＲＳ（ＣＳＩ−ＲＳ）を含み得る。
【００６２】
ＵＥは、任意のＤＬ物理チャネルのコヒーレント復調のために、チャネル推定のためにＣＲＳを使用することが可能である。例外は、ＴＭ７、ＴＭ８、またはＴＭ９を用いて構成され得る物理マルチキャストデータチャネル（ＰＭＣＨ）および／または物理データ共有チャネル（ＰＤＳＣＨ）を含み得る。ＵＥは、チャネル状態情報（ＣＳＩ）測定のためにＣＲＳを使用することが可能である。ＵＥは、セル選択および／またはモビリティに関係する測定のためにＣＲＳを使用することが可能である。ＣＲＳは、任意のサブフレームにおいて受信され得る。各々のアンテナポート（例えば、１、２、または４）に対して１つのＣＲＳが存在し得る。ＣＲＳは、各々のタイムスロットの少なくとも第１の、および第３から最後のＯＦＤＭシンボルを占有し得る。
【００６３】
ＤＭ−ＲＳは、選択されたＵＥに固有であり得る。ＵＥは、例えばＴＭ７、ＴＭ８、またはＴＭ９を用いて構成されるＰＤＳＣＨの復調のために、チャネル推定のためにＤＭ−ＲＳを使用することが可能である。ＤＭ−ＲＳは、選択されたＵＥに対するＰＤＳＣＨ伝送に割り当てられたリソースブロックにおいて送信され得る。
【００６４】
ＵＥは、ＣＳＩ測定のためにＣＳＩ−ＲＳを使用することが可能である。ＣＳＩ−ＲＳは、ＴＭ９に対して使用され得るのみであり、ネットワークにより、ＣＲＳより低い密度で送信され得る。
【００６５】
ＵＥは、所与のサービングセルに対する１または複数のキャリアセグメントを用いて構成され得る。キャリアアグリゲーションが構成される場合、サービングセルは、ＵＥの構成のプライマリセル（ＰＣｅｌｌ）およびサービングセル（ＳＣｅｌｌ）のいずれかであり得る。各々のキャリアセグメントは、所与のサービングセルに対してサポートされるＲＢのアドレス指定可能なセットのメンバではない場合がある、ＵＥに利用可能な物理ＲＢのセットを規定し得る。キャリアセグメントの各々は、ＲＢのサポートされるセット（サポートされるＲＢセット）に、および／または、他のキャリアセグメントに付加され得る。キャリアセグメントは、いくつかの方途で付加され得る。例えばキャリアセグメントは、サポートされるＲＢセットに対しての（ならびに／または、サポートされるＲＢセットおよび／もしくは他のキャリアセグメントに付加される他のキャリアセグメントに対しての）隣接する帯域幅拡張を形成するように付加され得る。
【００６６】
図３を参照すると、複数のキャリアセグメントを用いて構成されるＷＴＲＵに対する一例のＤＬ  ＲＢグリッド構造を例示するブロック図が示されている。このＤＬ  ＲＢグリッド構造は、サポートされるＲＢセット、および、サポートされるＲＢセットに対しての隣接する帯域幅拡張として付加される２つのキャリアセグメントを含む、ＲＢのアドレス指定可能な上位セットを規定し得る。例示されるＤＬ  ＲＢグリッド構造（以降「拡張されたＲＢ上位セット構造(extended-RB-superset structure)」）は、伝送（アップリンクまたはダウンリンク）がネットワークによりスケジューリングされ得る際に基になるＵＥ物理リソースマップの一部である場合があり、そのＵＥ物理リソースマップに統合される場合があり、および／または、そのＵＥ物理リソースマップに関連付けられる場合がある。
【００６７】
図３に示されるように、拡張されたＲＢ上位セット構造はキャリア帯域幅Ｂを有し得る。帯域幅Ｂは、それぞれ、サポートされるＲＢセット、キャリアセグメント１、および、キャリアセグメント２のキャリア帯域幅Ｂ０、ＢＤ、およびＢＵの集合体であり得る。サポートされるＲＢ帯域幅Ｂ０は、所与のサービングセルに対してサポートされる帯域幅であり得るとともに、関連するサービングセルがしたがう規格により規定され得る。関連するサービングセル上で動作するように構成されるとき、ＵＥは、サポートされるＲＢ帯域幅Ｂ０を使用して初期に動作し得る。その後ＵＥは、サポートされるＲＢ帯域幅Ｂ０に加えて（または少なくとも部分的に、サポートされるＲＢ帯域幅Ｂ０の代わりに）キャリアセグメント帯域幅ＢＤ、ＢＵの一方または両方を使用して動作するように構成され得る。
【００６８】
ＵＥは、それが１または複数の拡張キャリアによって動作する際に頼る、１または複数のサービングセルを用いて構成され得るものであり、１または複数の拡張キャリアの各々は、その上でＵＥが動作し得る周波数であり得る。サービングセルは、ＵＥのマルチキャリア構成のＳＣｅｌｌを含み得る。ＳＣｅｌｌは、アップリンクリソースを用いて（例えば、ＳＣｅｌｌ  ＤＬおよびＳＣｅｌｌ  ＵＬ）、アップリンクリソースを用いずに（例えば、ＳＣｅｌｌ  ＤＬのみ）、および／または、アップリンクリソースのみで（例えば、ＳＣｅｌｌ  ＵＬのみ）構成され得る。ＳＣｅｌｌは、例えば、ＳＣｅｌｌ  ＵＬがＵＥの構成のＰＣｅｌｌと実質的に同じ帯域にあるとき、ＳＣｅｌｌ  ＵＬのみを用いて構成され得る。
【００６９】
ＵＥは、拡張キャリアとして構成されるＳＣｅｌｌに対して、以下のことのうちの１または複数を遂行する場合がある。ＵＥ（例えば、ＰＤＳＣＨ上の）ＳＣｅｌｌ  ＤＬなどのダウンリンク伝送を受信する場合がある。ＵＥは、（例えば、ＰＵＳＣＨ上の）ＳＣｅｌｌ  ＵＬなどのアップリンク伝送を遂行する場合がある。ＵＥは、参照信号（例えば、１もしくは複数のセル固有のＣＲＳ、１もしくは複数のＵＥ固有のＤＭ−ＲＳ、および／または、１もしくは複数のＣＳＩ−ＲＳ）を受信する場合がある。ＵＥは、サウンディング参照信号（ＳＲＳ）信号を送信する場合がある。
【００７０】
ＵＥは、拡張キャリアとして構成されるサービングセルに対して、以下のことのうちの１または複数を遂行しない場合がある。ＵＥは、プライマリ同期信号（ＰＳＳ）および／またはセカンダリ同期信号（ＳＳＳ）を受信する場合がある。ＵＥは、（例えば、存在するならばブロードキャストチャネル（ＢＣＣＨ）上で）ブロードキャストされるシステム情報（ＳＩ）を受信する場合がある。ＵＥは、関連するサービングセルの物理制御チャネル（例えば、存在するならば、物理データ制御チャネル（ＰＤＣＣＨ）、および／または、物理ハイブリッドＡＲＱインジケータチャネル（ＰＨＩＣＨ）、および／または、物理制御フォーマットインジケータチャネル（ＰＣＦＩＣＨ））上でダウンリンク制御シグナリングを受信および／または復号化する場合がある。
【００７１】
コンポーネントキャリア（ＣＣ）は、その上でＵＥが動作する周波数を含み得る。ＵＥは、ダウンリンクＣＣ（ＤＬ  ＣＣ）上で１または複数の伝送を受信することが可能である。ＤＬ  ＣＣは、複数のＤＬ物理チャネルなどの、少なくとも１つのＤＬ物理チャネルを含み得る。ＬＴＥシステムに対しては、ダウンリンク物理チャネルは、物理制御フォーマットインジケータチャネル（ＰＣＦＩＣＨ）、物理ハイブリッドＡＲＱインジケータチャネル（ＰＨＩＣＨ）、物理データ制御チャネル（ＰＤＣＣＨ）、物理マルチキャストデータチャネル（ＰＭＣＨ）、および／または、物理データ共有チャネル（ＰＤＳＣＨ）を含み得る。ＰＣＦＩＣＨ上でＵＥは、（例えば、ＤＬ  ＣＣの制御領域のサイズを指示する）制御データを受信することが可能である。ＰＨＩＣＨ上でＵＥは、（例えば、前のアップリンク伝送に対するＨＡＲＱ肯定応答／否定応答（ＨＡＲＱ  Ａ／Ｎ、ＨＡＲＱ  ＡＣＫ／ＮＡＣＫ、またはＨＡＲＱ−ＡＣＫ）フィードバックを指示する）制御データを受信することが可能である。ＰＤＣＣＨ上でＵＥは、ダウンリンクリソースおよび／またはアップリンクリソースのスケジューリングのために使用され得る、ダウンリンク制御情報（ＤＣＩ）メッセージを受信することが可能である。ＰＤＳＣＨ上でＵＥは、ユーザデータおよび／または制御データを受信することが可能である。
【００７２】
ＵＥは、アップリンクＣＣ（ＵＬ  ＣＣ）上で１または複数の伝送を遂行することが可能である。ＵＬ  ＣＣは、複数のＵＬ物理チャネルなどの、少なくとも１つのＵＬ物理チャネルを含み得る。ＵＥは、アップリンクＣＣ（ＵＬ  ＣＣ）上で送信することが可能である。ＬＴＥシステムに対しては、アップリンク物理チャネルは、物理アップリンク制御チャネル（ＰＵＣＣＨ）および／または物理アップリンク共有チャネル（ＰＵＳＣＨ）を含み得る。ＰＵＳＣＨ上でＵＥは、ユーザデータおよび／または制御データを送信することが可能である。ＰＵＣＣＨ上で、および一部の場合ではＰＵＳＣＨ上でＵＥは、アップリンク制御情報（例えば、ＣＱＩ／ＰＭＩ／ＲＩまたはＳＲ）および／またはハイブリッド自動再送要求（ＨＡＲＱ）肯定応答／否定応答（ＡＣＫ／ＮＡＣＫ）フィードバックを送信することが可能である。ＵＬ  ＣＣ上でＵＥは、サウンディング参照信号（ＳＲＳ）の伝送のために専用のリソースが割り振られる場合がある。
【００７３】
セルは、例えば、ＤＬ  ＣＣ上でブロードキャストされるＵＥにより受信されるシステム情報（ＳＩ）に基づいて、および／または、ネットワークからの専用の構成シグナリングを使用して、ＵＬ  ＣＣにリンクされ得るＤＬ  ＣＣを含み得る。例えばＤＬ  ＣＣ上でブロードキャストされるとき、ＵＥは、（例えば、ＬＴＥに対してＲＲＣ＿ＩＤＬＥであるとき、または、ＷＣＤＭＡに対してアイドル／ＣＥＬＬ＿ＦＡＣＨであるとき（ＷＴＲＵが、ネットワークへの無線リソース接続をまだ有さないとき））システム情報要素の一部として、リンクされるＵＬ  ＣＣのアップリンク周波数および帯域幅を受信することが可能である。
【００７４】
プライマリセル（ＰＣｅｌｌ）は、ＵＥがシステムへの初期アクセスを遂行した（例えばＵＥが、初期接続確立手続を遂行した、または、接続再確立手続を始動させた）プライマリ周波数上で動作するセル、ハンドオーバ手続においてプライマリセルとして指示されるセル等々を備え得る。ＰＣｅｌｌは、無線リソース接続構成手続の一部として指示される周波数に対応し得る。一部の機能は、ＰＣｅｌｌ上でサポートされるだけの場合がある。例えばＰＣｅｌｌのＵＬ  ＣＣは、所与のＵＥに対するＨＡＲＱ  ＡＣＫ／ＮＡＣＫフィードバックを搬送するように、その物理アップリンク制御チャネルリソースが構成され得るＣＣに対応し得る。
【００７５】
例えばＬＴＥシステムではＵＥは、ＰＣｅｌｌを使用して、セキュリティ機能に対する、および／または、ＮＡＳモビリティ情報などの上位レイヤシステム情報に対するパラメータを導出することが可能である。ＰＣｅｌｌ  ＤＬ上でサポートされ得る他の機能は、ブロードキャストチャネル（ＢＣＣＨ）上のシステム情報（ＳＩ）取得、変化監視手続、ページング等々を含む。
【００７６】
セカンダリセル（ＳＣｅｌｌ）は、無線リソース制御接続が確立されると構成され得る、および、追加的な無線リソースを提供するために使用され得る、セカンダリ周波数上で動作するセルを含み得る。ＳＣｅｌｌにおいての動作に関連性のあるシステム情報は、（例えば、ＳＣｅｌｌがＵＥの構成に追加されるときに）専用のシグナリングを使用して提供され得る。関連するパラメータは、システム情報（ＳＩ）シグナリングを使用するＳＣｅｌｌのダウンリンク上のそれらのブロードキャストとは異なる値を有する場合があるが、この情報は、ＵＥが情報をどのように取得するかとは無関係に、関係しているＳＣｅｌｌのＳＩと呼ばれる場合がある。
【００７７】
ＰＣｅｌｌ  ＤＬおよびＰＣｅｌｌ  ＵＬは、それぞれＰＣｅｌｌのＤＬ  ＣＣおよびＵＬ  ＣＣに対応し得る。ＳＣｅｌｌ  ＤＬおよびＳＣｅｌｌ  ＵＬは、それぞれ（構成される場合）ＳＣｅｌｌのＤＬ  ＣＣおよびＵＬ  ＣＣに対応し得る。
【００７８】
サービングセルは、プライマリセル（ＰＣｅｌｌ）またはセカンダリセル（ＳＣｅｌｌ）を含み得る。ＳＣｅｌｌを用いて構成されない、または、複数のコンポーネントキャリア上の動作をサポートしない（例えば、キャリアアグリゲーションをサポートしない）ＵＥに対しては、ＰＣｅｌｌを備えるただ１つのサービングセルが存在し得る。少なくとも１つのＳＣｅｌｌを用いて構成されるＵＥに対しては、サービングセルは、ＰＣｅｌｌおよび１または複数の構成されるＳＣｅｌｌを備える、１または複数のセルのセットを含み得る。
【００７９】
ＵＥが少なくとも１つのＳＣｅｌｌを用いて構成されるとき、１つのＰＣｅｌｌ  ＤＬおよび１つのＰＣｅｌｌ  ＵＬが存在し得るとともに、（構成される場合）各々の構成されるＳＣｅｌｌに対して、１つのＳＣｅｌｌ  ＤＬおよび１つのＳＣｅｌｌ  ＵＬが存在し得る。
【００８０】
ＬＴＥ  Ｒ１０  ＤＬによれば、所与のアンテナポートに対して、ＤＭ−ＲＳは、対応するＰＤＳＣＨがマッピングされるリソースブロック上でのみ送信され得るとともに、サブフレーム内のＯＦＤＭシンボルの予め規定されたセットのみにおいて送信され得る。例えば図４に図示されるように、（アンテナポート７、８、…および／または１４のいずれかであり得る）アンテナポートＡおよびＢに対して通常のＣＰを使用して、ＤＭ−ＲＳは、サブフレーム内の各々のタイムスロットにおいての第６および第７のＯＦＤＭシンボル（例えばＲＥ６およびＲＥ７）において送信され得る。
【００８１】
ＤＭ−ＲＳに対するＯＦＤＭシンボルの例示される場所が使用され得るのは、他の物理チャネルおよび／または信号（例えばＰＤＣＣＨおよびＣＲＳ）が他のＯＦＤＭシンボルにマッピングされ得るからである。例えばＰＤＣＣＨ領域は、サブフレーム内の少なくとも第１のタイムスロットにおいての、１または複数の、最高で最初の３つのＯＦＤＭシンボル内のＲＥ（例えば、ＲＥ１からＲＥ３まで）に拡大され得る。したがって、ＰＤＣＣＨが送信され得る、第１のタイムスロットにおいての最初の３つのＯＦＤＭシンボルのいずれかにＤＭ−ＲＳを配置することが望ましくない場合がある。加えて、１または複数のアンテナポート（例えば、０、１、２、３）に対するＣＲＳが、サブフレーム内の各々のタイムスロットにおいての、第１、第２、および／または第４のＯＦＤＭシンボルのうちの１または複数の中のＲＥ（例えば、ＲＥ１、ＲＥ２、およびＲＥ４）に位置させられる場合がある。したがって、（例えば、第１のタイムスロット（ＴＳ１）においての）第６および第７のシンボルが、ＤＬでのＤＭ−ＲＳ伝送に対する望ましい場所であり得る。
【００８２】
第６および第７のＯＦＤＭシンボルにＤＭ−ＲＳを配置することによって、第１のタイムスロットにおいての第１のＯＦＤＭシンボルから第５のＯＦＤＭシンボルまでに対するチャネル推定が、（例えば、第１のタイムスロットにおいての第６および第７のＯＦＤＭシンボルにおいてのＤＭ−ＲＳに基づく外挿法（extrapolation）を使用して）遂行されなければならない場合がある。外挿ベースのチャネル推定は、ＰＤＳＣＨ性能低下をもたらす場合がある。本明細書で説明されるように、拡張キャリアおよび／またはキャリアセグメントに対するＤＭ−ＲＳ場所は、（例えば、外挿ベースのチャネル推定を使用することなく拡張キャリアおよび／またはキャリアセグメントにおいてチャネル推定を遂行するように）適合され得る。
【００８３】
拡張キャリアに同期信号（例えばＰＳＳ／ＳＳＳ）が存在しない場合、関連するサービングセルにおいての同期動作は、同期動作を支援するために使用され得る信号が存在しないと、適正に遂行されない場合がある。拡張キャリアおよび／またはキャリアセグメントに対する様々なＣＲＳが、例えば同期を含むいくつかの目的で適合され得る。
【００８４】
（例えば、ＬＴＥ  Ｒ１０による）ＤＬリソースグリッド構造においては、それぞれの構成されるアンテナポートに対するＤＭ−ＲＳに対するＲＥ場所（例えばＲＥ６およびＲＥ７）は、サービングセルのＰＤＣＣＨ領域およびＣＲＳのために予約されるＲＥ位置の除外に少なくとも部分的に基づいて選択され得る。本明細書で説明されるように、１または複数の拡張キャリアおよび／またはキャリアセグメントは、ＵＥに対する１または複数の構成されるアンテナポートに対する、ＤＭ−ＲＳへのＲＥ場所の様々なマッピングを用いて構成され得る。拡張キャリアおよび／またはキャリアセグメントに対するＲＥ対ＤＭ−ＲＳマッピングは、例えば、ＰＤＣＣＨおよび／またはＣＲＳは、拡張キャリアおよび／またはキャリアセグメントに対しては構成されない場合があるので、（例えば、ＰＤＣＣＨおよび／またはＣＲＳに基づいてＤＭ−ＲＳに対するＲＥ位置を選択する）ＬＴＥ  Ｒ１０制約がない状態で構成され得る。ＤＭ−ＲＳに対するＲＥ場所選定が、ＰＤＣＣＨおよび／またはＣＲＳの一方または両方に対するＲＥ位置決めより上の優先順位をとり得る。
【００８５】
引き続き図４を参照すると、ＤＭ−ＲＳは、例えば、それぞれ２つのアンテナポートＡおよびＢに対して、ならびに通常のＣＰを使用して、サブフレームの各々のタイムスロット（例えばＴＳ１およびＴＳ２）においての第６および第７のＯＦＤＭシンボル（例えばＲＥ６およびＲＥ７）に配置され得るものであり、４ビットの直交カバーコード（ＯＣＣ）が、例えばアンテナポート７および８上で、例えば複数のＲＳを分離するために、２つの連続的な参照シンボルの２つの対に適用され得る。
【００８６】
データ復調のためのＤＭ−ＲＳベースのチャネル推定は、サブフレーム単位で動作する（例えば補間技法が、チャネル推定のために近接するサブフレーム間で使用されない）ことが想定され得る。したがって、サブフレーム内の第１のタイムスロットにおいての第６のＯＦＤＭシンボルの前のＯＦＤＭシンボルに対するチャネル推定は、何らかの形式の外挿ベースのチャネル推定を使用して実行され得る。しかしながら外挿ベースのチャネル推定は、ＰＤＳＣＨの性能が低下させられることを引き起こす場合がある。拡張キャリアおよび／またはキャリアセグメントでは、ＰＤＳＣＨは、第１のタイムスロットにおいて第１のＯＦＤＭシンボルから開始し得る。
【００８７】
ひとまとめにして拡張リソースキャリアと呼ばれる場合がある、拡張キャリアおよび／またはキャリアセグメントにおいての外挿ベースのチャネル推定の使用は回避され得るものである。例えば、（例えば、サブフレーム内の第１のタイムスロットにおいての）拡張ＤＭ−ＲＳ構造および／またはマッピングと呼ばれる場合がある、拡張リソースキャリアにおいてのＤＭ−ＲＳに対するＯＦＤＭシンボルへのＲＥのマッピングは、より早いＯＦＤＭシンボルに対応し得るＲＥ位置（例えば、ＬＴＥ  Ｒ１０においてＰＤＣＣＨおよび／またはＣＲＳに対して使用されるＲＥ）にＤＭ−ＲＳをマッピングすることを含み得る。通信システムの任意の適した構成要素（例えば、ＵＥ、ＣＮの構成要素等々）は、拡張ＤＭ−ＲＳ構造および／またはマッピングを用いるように構成され得る。
【００８８】
次に図５を参照すると、拡張ＤＭ−ＲＳ構造および／またはマッピングの一例によれば、アンテナポートＡおよびＢ（例えば、通常のＣＰを用いる対応するＵＥのアンテナポート７および８）に対するＤＭ−ＲＳは、少なくとも１つのサブキャリア（例えば、ＳＣ２、ＳＣ７、および／またはＳＣ１２）の第１のタイムスロット（例えばＴＳ１）においての１または複数のそれぞれのＯＦＤＭシンボル内のＲＥ（例えばＲＥ１およびＲＥ２）に位置決めされる（例えば、挿入される、付加される等）場合がある。ＤＭ−ＲＳは、サブキャリアの伝送に関する任意の時間に（例えば、伝送の前に、実質的に伝送の時間になど）第１のタイムスロットにおいて位置決めされ得る。サブキャリアは、通信システムの任意の適した構成要素により（例えば、ｅＮＢにより）送信され得る。
【００８９】
この点に関して、拡張ＤＭ−ＲＳ構造および／またはマッピングは、サブキャリア（例えばＳＣ２）の第１のタイムスロット（例えばＴＳ１）を送信することを含み得る。第１のタイムスロットは、第１のリソース要素から最後のリソース要素まで順序付けされる第１の複数のリソース要素（例えばＲＥ１〜ＲＥ７）を有し得る。第１のタイムスロットを送信することは、最後のリソース要素であり得ない、第１の複数のリソース要素の選択された１つ（例えばＲＥ１）において第１のシンボルを送信することを含み得る。第１のシンボルは、復調参照信号（例えば、ＵＥ固有のＤＭ−ＲＳ）であり得る。第１のタイムスロットを送信することは、第１の複数のリソース要素の最後のリソース要素（例えばＲＥ７）において第２のシンボルを送信することを含み得るものであり、第２のシンボルは、復調参照信号以外である（例えば、ＵＥ固有のＤＭ−ＲＳではない）。例えば第２のシンボルは、音声および／またはデータ情報を含むＯＦＤＭシンボルを含み得る。第１のタイムスロットを送信することは、最後のリソース要素であり得ない、第１の複数のリソース要素の第２の選択された１つ（例えばＲＥ２）において第３のシンボルを送信することを含み得る。第３のシンボルは、復調参照信号（例えば、ＵＥ固有のＤＭ−ＲＳ）であり得る。
【００９０】
拡張ＤＭ−ＲＳ構造および／またはマッピングの例示される一例によれば、複数のリソース要素の第１の選択された１つおよび第２の選択された１つ（例えばＲＥ１およびＲＥ２）は、それぞれ、第１のタイムスロットにおいて相互に近接している場合がある。
【００９１】
さらに拡張ＤＭ−ＲＳ構造および／またはマッピングの例示される一例によれば、アンテナポートＡおよびＢ（例えば、通常のＣＰを用いる対応するＵＥのアンテナポート７および８）に対するＤＭ−ＲＳは、少なくとも１つのサブキャリア（例えば、ＳＣ２、ＳＣ７、および／またはＳＣ１２）の第２のタイムスロット（例えばＴＳ２）においての１または複数のそれぞれのＯＦＤＭシンボル内のＲＥ（例えばＲＥ６およびＲＥ７）に位置決めされる場合がある。
【００９２】
この点に関して、拡張ＤＭ−ＲＳ構造および／またはマッピングは、サブキャリア（例えばＳＣ２）の第２のタイムスロット（例えばＴＳ２）を送信することを含み得る。第２のタイムスロットは、第１のリソース要素から最後のリソース要素まで順序付けされる第２の複数のリソース要素（例えばＲＥ１〜ＲＥ７）を有し得る。第２のタイムスロットを送信することは、第２の複数のリソース要素の選択された１つ（例えばＲＥ６）において第４のシンボルを送信することを含み得る。第４のシンボルは、復調参照信号（例えば、ＵＥ固有のＤＭ−ＲＳ）であり得る。第２のタイムスロットを送信することは、第２の複数のリソース要素の選択された１つ（例えばＲＥ７）において第５のシンボルを送信することを含み得る。第５のシンボルは、復調参照信号（例えば、ＵＥ固有のＤＭ−ＲＳ）であり得る。
【００９３】
第１および第２のタイムスロットのＵＥ固有のＤＭ−ＲＳは、異なるＲＥ場所（例えば、ＴＳ１のＲＥ１およびＲＥ２、ならびに、ＴＳ２のＲＥ６およびＲＥ７）に配置され得る。第１のタイムスロット（例えばＴＳ１）のＵＥ固有のＤＭ−ＲＳは、（第１の複数の参照要素と呼ばれる場合がある）第１のタイムスロットの複数のリソース要素に対して第１の位置に配置され得るものであり、第２のタイムスロットのＵＥ固有のＤＭ−ＲＳは、第２のタイムスロットＴＳ２の第２の複数のリソース要素に対して第２の位置に、第１の位置が第１の位置に対して異なる場合があるように配置され得る。この点に関して、第１のシンボルおよび第３のシンボルは、それぞれ、第１の複数のリソース要素および第２の複数のリソース要素に対して異なる位置に配置され得る。
【００９４】
拡張ＤＭ−ＲＳ構造および／またはマッピングの例示される一例では、サブフレーム内部の（例えば時間的な）連続的な参照シンボルの２つの対の間の区間は、図４に例示されるＤＭ−ＲＳ構造に対してより長くなり得る。しかしながら、例示される拡張ＤＭ−ＲＳ構造および／またはマッピングは、（例えば、実行されることになるＰＤＳＣＨ復調のための）補間ベースのチャネル推定を可能にし得る。
【００９５】
図６は、アンテナポートＡおよびＢ（例えば、通常のＣＰを用いる対応するＵＥのアンテナポート７および８）に対する拡張ＤＭ−ＲＳ構造および／またはマッピングの別の例を図示する。例示される一例によれば、ＤＭ−ＲＳは、少なくとも１つのサブキャリア（例えば、ＳＣ２、ＳＣ７、およびＳＣ１２）の、第１のタイムスロット（例えばＴＳ１）においての１または複数のそれぞれのＯＦＤＭシンボル内のＲＥ（例えばＲＥ３およびＲＥ４）、および、第２のタイムスロット（例えばＴＳ２）においての１または複数のそれぞれのＯＦＤＭシンボル内のＲＥ（例えばＲＥ４およびＲＥ５）に位置決めされる（例えば、挿入される、付加される等）場合がある。例示される拡張ＤＭ−ＲＳ構造および／またはマッピングは、（例えば、実行されることになるＰＤＳＣＨ復調のための）補間ベースのチャネル推定を可能にし得る。
【００９６】
図７は、アンテナポートＡおよびＢ（例えば、通常のＣＰを用いる対応するＵＥのアンテナポート７および８）に対する拡張ＤＭ−ＲＳ構造および／またはマッピングの別の例を図示する。例示される一例によれば、ＤＭ−ＲＳは、第１のサブキャリア（例えばＳＣ２）の第１のタイムスロット（例えばＴＳ１）においての１または複数のそれぞれのＯＦＤＭシンボル内のＲＥ（例えばＲＥ１およびＲＥ２）、および、第１のサブキャリアの第２のタイムスロット（例えばＴＳ２）においての１または複数のそれぞれのＯＦＤＭシンボル内のＲＥ（例えばＲＥ６およびＲＥ７）に位置決めされる（例えば、挿入される、付加される等）場合がある。第２のサブキャリア（例えばＳＣ７）ではＤＭ−ＲＳは、第１のサブキャリア内とは異なるＯＦＤＭシンボル場所に位置決めされる場合がある。例えばＤＭ−ＲＳは、第２のサブキャリアの、第１のタイムスロット（例えばＴＳ１）においての１または複数のそれぞれのＯＦＤＭシンボル内のＲＥ（例えばＲＥ５およびＲＥ６）に、および、第２のタイムスロット（例えばＴＳ２）においての１または複数のそれぞれのＯＦＤＭシンボル内のＲＥ（例えばＲＥ２およびＲＥ３）に位置決めされる場合がある。
【００９７】
この点に関して、拡張ＤＭ−ＲＳ構造および／またはマッピングは、第１のサブキャリア（例えばＳＣ２）の第１のタイムスロット（例えばＴＳ１）を送信することを含み得る。第１のサブキャリアの第１のタイムスロットは、第１のリソース要素から最後のリソース要素まで順序付けされる第１の複数のリソース要素（例えばＲＥ１〜ＲＥ７）を有し得る。第１のサブキャリアの第１のタイムスロットを送信することは、最後のリソース要素であり得ない、第１の複数のリソース要素の選択された１つ（例えばＲＥ１）において第１のシンボルを送信することを含み得る。第１のシンボルは、復調参照信号（例えば、ＵＥ固有のＤＭ−ＲＳ）であり得る。第１のサブキャリアの第１のタイムスロットを送信することは、第１の複数のリソース要素の最後のリソース要素（例えばＲＥ７）において第２のシンボルを送信することを含み得るものであり、第２のシンボルは、復調参照信号以外である（例えば、ＵＥ固有のＤＭ−ＲＳではない）。例えば第２のシンボルは、音声および／またはデータ情報を含むＯＦＤＭシンボルを含み得る。
【００９８】
例示される一例によれば、拡張ＤＭ−ＲＳ構造および／またはマッピングは、第２のサブキャリア（例えばＳＣ７）の第１のタイムスロットを送信することを含み得る。第２のサブキャリアの第１のタイムスロットは、第１のリソース要素から最後のリソース要素まで順序付けされる、（第２の複数のリソース要素と呼ばれる場合がある）複数のリソース要素（例えばＲＥ１〜ＲＥ７）を有し得る。第２のサブキャリアの第１のタイムスロットを送信することは、第２のサブキャリアの第１のタイムスロットの第２の複数のリソース要素の選択された１つ（例えばＲＥ５）において第３のシンボルを送信することを含み得る。第３のシンボルは、復調参照信号（例えば、ＵＥ固有のＤＭ−ＲＳ）であり得る。第２のサブキャリアの第１のタイムスロットを送信することは、第２の複数のリソース要素の最後のリソース要素（例えばＲＥ７）において第４のシンボルを送信することを含み得るものであり、第４のシンボルは、復調参照信号以外である（例えば、ＵＥ固有のＤＭ−ＲＳではない）。例えば第４のシンボルは、音声および／またはデータ情報を含むＯＦＤＭシンボルを含み得る。
【００９９】
第３のサブキャリア（例えばＳＣ１２）ではＤＭ−ＲＳは、第２のサブキャリア内とは異なるＯＦＤＭシンボル場所に位置決めされる場合がある。例えばＤＭ−ＲＳは、第３のサブキャリアの第１のタイムスロット（例えばＴＳ１）においての１または複数のそれぞれのＯＦＤＭシンボル内のＲＥ（例えばＲＥ１およびＲＥ２）に、および、第３のサブキャリアの第２のタイムスロット（例えばＴＳ２）においての１または複数のそれぞれのＯＦＤＭシンボル内のＲＥ（例えばＲＥ６およびＲＥ７）に位置決めされる場合がある。この点に関して、第３のサブキャリアのＤＭ−ＲＳシンボルは、第１のサブキャリアのＤＭ−ＲＳシンボルに対して実質的に同じ場所に配置される場合がある。第１、第２、および第３のサブキャリアは、ＤＭ−ＲＳを有し得ない少なくとも１つのサブキャリアが、第１のサブキャリアと第２のサブキャリアとの間に配設され得るように、および／または、ＤＭ−ＲＳシンボルを有し得ない少なくとも１つの他のサブキャリアが、第２のサブキャリアと第３のサブキャリアとの間に配設され得るように、相互に対してずらされる場合がある。
【０１００】
第１および第２のサブキャリア（例えばＳＣ２およびＳＣ７）のＵＥ固有のＤＭ−ＲＳは、異なるＲＥ場所（例えば、ＳＣ１２のＲＥ１およびＲＥ２、ならびに、ＳＣ７のＲＥ５およびＲＥ６）に配置され得るものであり、第１のサブキャリアのＵＥ固有のＤＭ−ＲＳは、（第１の複数の参照要素と呼ばれる場合がある）第１のサブキャリアの第１のタイムスロットＴＳ１の複数のリソース要素に対して第１の位置に配置され得るものであり、第２のサブキャリアのＵＥ固有のＤＭ−ＲＳは、第２のサブキャリアの第１のタイムスロットの第２の複数のリソース要素に対して第２の位置に、第１の位置が第１の位置に対して異なる場合があるように配置され得る。この点に関して、第１のシンボルおよび第３のシンボルは、それぞれ、第１の複数のリソース要素および第２の複数のリソース要素に対して異なる位置に配置され得る。第１のサブキャリアのＵＥ固有のＤＭ−ＲＳシンボル、および、第２のサブキャリアのＵＥ固有のＤＭ−ＲＳシンボルは、それぞれ、第１の複数のリソース要素および第２の複数のリソース要素に対して異なる位置に配置され得る。第２のサブキャリアのＵＥ固有のＤＭ−ＲＳシンボル、および、第３のサブキャリアのＵＥ固有のＤＭ−ＲＳシンボルは、第２および第３のサブキャリアの第１のタイムスロットのそれぞれの複数のリソース要素に対して異なる位置に配置され得る。第１のサブキャリアのＵＥ固有のＤＭ−ＲＳシンボル、および、第３のサブキャリアのＵＥ固有のＤＭ−ＲＳシンボルは、第１および第３のサブキャリアの第１のタイムスロットのそれぞれの複数のリソース要素に対して実質的に同じ位置に配置され得る。
【０１０１】
引き続き図７を参照すると、例示される拡張ＤＭ−ＲＳ構造および／またはマッピングは、サブフレーム内部でのＮ個のＯＦＤＭシンボルの対単位の時間ドメインずらしを含み得る。対単位の時間ドメインずらしは、チャネルが時間ドメインおよび周波数ドメインの両方において非単調に変動する（例えば、チャネルピークまたは落ち込みがＲＢの中間で起こる）とき、正確なチャネル推定および／または測定を提供し得る。ＲＢおよび／またはサブフレーム内部でのＲＳに対するＭ個のサブキャリアの周波数ドメインずらしが適用され得る。時間ドメインずらしおよび周波数ドメインずらしの組み合わせが適用され得る。
【０１０２】
図５〜７に図示される拡張ＤＭ−ＲＳ構造および／またはマッピングの一例では、ＤＭ−ＲＳは、サブフレーム内の各々のタイムスロットにおいての（時間的に）２つの連続的なＯＦＤＭシンボル内のＲＥ（例えば、図５でのＲＥ１およびＲＥ２）に位置決めされる場合がある。連続的なＯＦＤＭシンボルは対にされ得る。サブフレーム内の連続的な参照シンボルの２つの対（例えば、単一のサブキャリア内の４つの参照シンボル）は、複数のアンテナポート（例えばアンテナポート７および８）に対する拡張ＤＭ−ＲＳが、（例えば、受信器においてＣＤＭを使用して）分離され得るように、４ビットＯＣＣ系列によりカバーされる（例えば、拡散される、および／または乗算される）場合がある。あるいは、ＯＣＣ系列（例えば、ＬＴＥ  Ｒ１０  ＤＭ−ＲＳに対して使用されるＯＣＣ系列）のセットが、（例えば、図５〜７に示される際に図示されるような）拡張ＤＭ−ＲＳ構造および／またはマッピングのために適用され得る。
【０１０３】
図８は、アンテナポートＡおよびＢ（例えば、通常のＣＰを用いる対応するＵＥのアンテナポート７および８）に対する拡張ＤＭ−ＲＳ構造および／またはマッピングの別の例を図示する。例示される一例によれば、ＤＭ−ＲＳは、２つのＤＭ−ＲＳが時間的に連続的でないように、１または複数の非ＤＭ−ＲＳ  ＯＦＤＭシンボルにより相互から分離される場合がある。例えばＤＭ−ＲＳは、少なくとも１つのサブキャリア（例えば、ＳＣ２、ＳＣ７、およびＳＣ１２）の第１のタイムスロット（例えばＴＳ１）においての１または複数のそれぞれのＯＦＤＭシンボル内のＲＥ（例えばＲＥ１およびＲＥ５）に、および、少なくとも１つのサブキャリアの第２のタイムスロット（例えばＴＳ２）においての１または複数のそれぞれのＯＦＤＭシンボル内のＲＥ（例えばＲＥ２およびＲＥ７）に位置決めされる（例えば、挿入される、付加される等）場合がある。この点に関して、それぞれのＤＭ−ＲＳを搬送する第１のタイムスロットの第１の複数のリソース要素の第１の選択された１つおよび第２の選択された１つ（例えばＲＥ１およびＲＥ５）は、それぞれ、第１のタイムスロットにおいて相互から隔置され、それぞれのＤＭ−ＲＳを搬送する第２のタイムスロットの第２の複数のリソース要素の第１の選択された１つおよび第２の選択された１つ（例えばＲＥ２およびＲＥ７）は、それぞれ、第２のタイムスロットにおいて相互から隔置される。
【０１０４】
拡張ＤＭ−ＲＳ構造および／またはマッピングの例示される一例は、補間技法を使用するチャネル推定を提供し得る。４つのＤＭ−ＲＳシンボルは時間的に連続的でないので、ＤＭ−ＲＳ直交性特性が、例えば（例えば、高いモビリティＵＥに対する）高速に変動するチャネル条件において維持されない場合がある。
【０１０５】
図９Ａ〜Ｂは、複数のアンテナポートＡ、Ｂ、Ｃ、およびＤ（例えば、通常のＣＰを用いる対応するＵＥのアンテナポート７、８、９、および１０）に対する拡張ＤＭ−ＲＳ構造および／またはマッピングの一例を図示する。例示される一例によれば、アンテナポートＡに対するＤＭ−ＲＳは、少なくとも１つのサブキャリア（例えばＳＣ４およびＳＣ１０）の第１のタイムスロット（例えばＴＳ１）においての１または複数のそれぞれのＯＦＤＭシンボル内のＲＥ（例えばＲＥ５）に、および、少なくとも１つのサブキャリアの第２のタイムスロット（例えばＴＳ２）においての１または複数のそれぞれのＯＦＤＭシンボル内のＲＥ（例えばＲＥ５）に位置決めされる（例えば、挿入される、付加される等）場合がある。第１および第２のサブキャリアは、相互に対してずらされる場合がある。アンテナポートＢに対するＤＭ−ＲＳは、第１のサブキャリア（例えばＳＣ１）の第１のタイムスロット（例えばＴＳ１）においての１または複数のそれぞれのＯＦＤＭシンボル内のＲＥ（例えばＲＥ１）に、および、第１のサブキャリアの第２のタイムスロット（例えばＴＳ２）においての１または複数のそれぞれのＯＦＤＭシンボル内のＲＥ（例えばＲＥ１）に位置決めされる場合があり、第２のサブキャリア（例えばＳＣ１０）の第１のタイムスロット（例えばＴＳ１）においての１または複数のそれぞれのＯＦＤＭシンボル内のＲＥ（例えばＲＥ５）に、および、第２のサブキャリアの第２のタイムスロット（例えばＴＳ２）においての１または複数のそれぞれのＯＦＤＭシンボル内のＲＥ（例えばＲＥ５）に位置決めされる場合がある。第１および第２のサブキャリアは、相互に対してずらされる場合がある。
【０１０６】
この点に関して、拡張ＤＭ−ＲＳ構造および／またはマッピングは、サブキャリア（例えばＳＣ４）の第１のタイムスロット（例えばＴＳ１）を送信することを含み得る。第１のタイムスロットは、第１のリソース要素から最後のリソース要素まで順序付けされる第１の複数のリソース要素（例えばＲＥ１〜ＲＥ７）を有し得る。第１のタイムスロットを送信することは、最後のリソース要素であり得ない、第１の複数のリソース要素の選択された１つ（例えばＲＥ５）において第１のシンボルを送信することを含み得る。第１のシンボルは、復調参照信号（例えば、ＵＥ固有のＤＭ−ＲＳ）であり得る。第１のタイムスロットを送信することは、第１の複数のリソース要素の最後のリソース要素（例えばＲＥ７）において第２のシンボルを送信することを含み得るものであり、第２のシンボルは、復調参照信号以外である（例えば、ＵＥ固有のＤＭ−ＲＳではない）。
【０１０７】
拡張ＤＭ−ＲＳ構造および／またはマッピングは、サブキャリア（例えばＳＣ４）の第２のタイムスロット（例えばＴＳ２）を送信することを含み得る。第２のタイムスロットは、第１のリソース要素から最後のリソース要素まで順序付けされる第２の複数のリソース要素（例えばＲＥ１〜ＲＥ７）を有し得る。第２のタイムスロットを送信することは、第２の複数のリソース要素の選択された１つ（例えばＲＥ５）において第３のシンボルを送信することを含み得る。第３のシンボルは、復調参照信号（例えば、ＵＥ固有のＤＭ−ＲＳ）であり得る。
【０１０８】
第１および第２のタイムスロットのＵＥ固有のＤＭ−ＲＳは、それらのそれぞれの複数の参照要素に対する実質的に同じ場所（例えば、ＴＳ１のＲＥ５およびＴＳ２のＲＥ５）に配置され得る。別の言い方をすれば、第１のタイムスロットのＵＥ固有のＤＭ−ＲＳは、（第１の複数の参照要素と呼ばれる場合がある）第１のタイムスロットＴＳ１の複数のリソース要素に対して第１の位置に配置され得るものであり、第２のタイムスロットのＵＥ固有のＤＭ−ＲＳは、第２のタイムスロットＴＳ２の第２の複数のリソース要素に対して第２の位置に、第１の位置が第１の位置に対して実質的に同じであり得るように配置され得る。この点に関して、第１のシンボルおよび第３のシンボルは、それぞれ、第１の複数のリソース要素および第２の複数のリソース要素に対して実質的に同等の位置に配置され得る。
【０１０９】
第２のサブキャリア（例えばＳＣ１０）の第１のタイムスロットを送信することは、第２のサブキャリアの第１のタイムスロットの第１の複数のリソース要素の選択された１つ（例えばＲＥ５）において第４のシンボルを送信することを含み得る。第４のシンボルは、復調参照信号（例えば、ＵＥ固有のＤＭ−ＲＳ）であり得る。第２のサブキャリア（例えばＳＣ１０）の第２のタイムスロットを送信することは、第２のサブキャリアの第２のタイムスロットの第２の複数のリソース要素の選択された１つ（例えばＲＥ５）において第５のシンボルを送信することを含み得る。第５のシンボルは、復調参照信号（例えば、ＵＥ固有のＤＭ−ＲＳ）であり得る。
【０１１０】
さらに拡張ＤＭ−ＲＳ構造および／またはマッピングの例示される一例によれば、ＤＭ−ＲＳのオーバーヘッドが、（例えば、拡張キャリアおよび／またはキャリアセグメント上のＰＤＳＣＨ伝送において）制限され得る。例えば、１または複数のアンテナポート（例えばアンテナポート９および１０）に対する拡張ＤＭ−ＲＳ構造および／またはマッピングは、時間ドメインおよび／または周波数ドメインにおいて、より低いＤＭ−ＲＳ密度を使用して送信され得る。例えばアンテナポートＣに対するＤＭ−ＲＳは、第１のサブキャリア（例えばＳＣ１）の第１のタイムスロット（例えばＴＳ１）においての１または複数のそれぞれのＯＦＤＭシンボル内のＲＥ（例えばＲＥ２）に位置決めされる場合があり、第２のサブキャリア（例えばＳＣ１０）の第２のタイムスロット（例えばＴＳ２）においての１または複数のそれぞれのＯＦＤＭシンボル内のＲＥ（例えばＲＥ２）に位置決めされる場合がある。第１および第２のサブキャリアは、相互に対してずらされる場合がある。アンテナポートＤに対するＤＭ−ＲＳは、第１のサブキャリア（例えばＳＣ１０）の第１のタイムスロット（例えばＴＳ１）においての１または複数のそれぞれのＯＦＤＭシンボル内のＲＥ（例えばＲＥ２）に位置決めされる場合があり、第２のサブキャリア（例えばＳＣ１）の第２のタイムスロット（例えばＴＳ２）においての１または複数のそれぞれのＯＦＤＭシンボル内のＲＥ（例えばＲＥ２）に位置決めされる場合がある。第１および第２のサブキャリアは、相互に対してずらされる場合がある。
【０１１１】
拡張ＤＭ−ＲＳ（例えば、ＵＥ固有のＤＭ−ＲＳ）構造および／またはマッピングが、本明細書で例示および説明される一例に限定されないこと、ならびに、拡張ＤＭ−ＲＳ構造および／またはマッピングが、（例えば、ＲＥリソースグリッドを使用して）時間ドメインおよび周波数ドメインの一方または両方において変動させられるＤＭ−ＲＳの任意の他の組み合わせを含み得ることが十分認識されるべきである。
【０１１２】
本明細書で開示される拡張ＤＭ−ＲＳ構造および／またはマッピング一例、構成、および／またはパターンの１または複数（例えばすべて）は、ＵＥを構成するために使用され得る。ＵＥは、拡張ＤＭ−ＲＳ構造および／またはマッピング構成および／またはパターンのセットの任意のもの（例えばすべて）を用いて構成され得る。例えば、（例えば、拡張キャリアおよび／またはキャリアセグメントを用いて構成されることに応答して）ＵＥは、（例えば、Ｌ１シグナリングおよび／またはＬ２／３シグナリングによって）拡張ＤＭ−ＲＳ構造および／またはマッピング構成および／またはパターンのセットの任意のもの（例えばすべて）を用いて構成され得る。拡張キャリアおよび／もしくはキャリアセグメント、ならびに／または、拡張ＤＭ−ＲＳ構造および／もしくはマッピング構成および／もしくはパターンの任意のものを用いて前に構成されたＵＥは、Ｌ１シグナリングおよび／またはＬ２／３シグナリングによって、拡張ＤＭ−ＲＳ構造および／またはマッピング構成および／またはパターンのセットの任意のもの（例えばすべて）を用いて再構成され得る。
【０１１３】
拡張ＤＭ−ＲＳ構造および／またはマッピング構成および／またはパターンは、ＵＥごとに、ならびに／または、拡張キャリアおよび／もしくはキャリアセグメントごとに構成され得る。ＤＭ−ＲＳは、対応するＰＤＳＣＨがマッピングされるＲＢのみにおいて送信され得る。構成は、ＣＰタイプ（例えば、通常のＣＰ対拡張されたＣＰ）に依存し得る。例えばＴＳ３６．２１１において規定されるように、アンテナポートｐ＝７、８、または、ｐ＝７、８、…、ｖ＋６に対して、対応するＰＤＳＣＨに割り当てられる周波数ドメインインデックスｎＰＲＢを伴うＰＲＢにおいて、参照系列ｒ（ｍ）の部分が、以下のように、サブフレームにおいて、複素数値の変調シンボルａｋ，ｌにマッピングされ得る。
【０１１４】
通常のサイクリックプレフィックスは次式となる。
【０１１５】
【数１】
0005838266.tif 000002
【０１１６】
ただし、
【０１１７】
【数２】
0005838266.tif 000003
【０１１８】
である。
ＯＣＣ系列
【０１１９】
【数３】
0005838266.tif 000004
【０１２０】
は、例えばＴＳ３６．２１１において見出され得る。
【０１２１】
上記のＤＭ−ＲＳマッピング式では、ＯＦＤＭシンボルインデックスｌ（およびｌ’）は、各々のＵＥに対して、および／または、各々の拡張キャリア（例えばすべての拡張キャリア）に対して構成され得る。例えば、図５に図示される拡張ＤＭ−ＲＳ構造および／またはマッピングに対して、ｌ（およびｌ’）は、以下のように、非スペシャルサブフレーム（例えばＦＤＤ）に対して修正され得る。
【０１２２】
ｎｓ  ｍｏｄ  ２＝０である場合、ｌ＝ｌ’  ｍｏｄ  ２、ｌ’＝０、１、
ｎｓ  ｍｏｄ  ２＝１である場合、ｌ＝ｌ’  ｍｏｄ  ２  ＋５、ｌ’＝２、３。
【０１２３】
図６に図示される拡張ＤＭ−ＲＳ構造および／またはマッピングに対しては、以下のようになる。
【０１２４】
【数４】
0005838266.tif 000005
【０１２５】
図６に図示される拡張ＤＭ−ＲＳ構造および／またはマッピングに対しては、以下のようになる。
ｍ’＝０または２である場合、
ｎｓ  ｍｏｄ  ２＝０である場合、ｌ＝ｌ’  ｍｏｄ  ２、ｌ’＝０、１、
ｎｓ  ｍｏｄ  ２＝１である場合、ｌ＝ｌ’  ｍｏｄ  ２  ＋５、ｌ’＝２、３、
そうでなければ（例えば、ｍ’＝１である場合）、
ｎｓ  ｍｏｄ  ２＝０である場合、ｌ＝ｌ’  ｍｏｄ  ２  ＋４、ｌ’＝０、１、
ｎｓ  ｍｏｄ  ２＝１である場合、ｌ＝ｌ’  ｍｏｄ  ２  ＋１、ｌ’＝２、３。
【０１２６】
拡張されたＣＰに対しては、通常のＣＰに対するものと実質的に同じであり得るそれぞれの修正規則が適用され得る。しかしながら異なるＣＰタイプは、１または複数の対応する拡張ＤＭ−ＲＳ構造および／またはマッピングを修正するための、１または複数の異なる規則を必要とする場合がある。
【０１２７】
拡張ＤＭ−ＲＳ構造および／またはマッピングに加えて、以下のＤＭ−ＲＳに関係するパラメータおよび／または変数が、拡張ＤＭ−ＲＳ構造および／またはマッピングに対して構成および／または修正され得る。ＯＣＣ系列（例えばｗｐ（ｌ））が、例えば、時間ドメインにおいて連続的でないＤＭ−ＲＳを含めて（例えば、すべてのＤＭ−ＲＳに対して）構成および／または修正され得る。ＯＣＣ系列の異なるセットおよび／またはテーブルが、異なるＤＭ−ＲＳ構造および／またはマッピングに対して規定され得る。各々のアンテナポートｐに対して（例えば、ＬＴＥ  Ｒ１０において）、ＯＣＣ系列およびそれらの要素の順序は、以下の式において示されるように、ＲＢにおいての３つの異なるサブキャリア／ＲＥ（例えば、ｍ’＝０、１、または２）に対して同じであり得る。
【０１２８】
【数５】
0005838266.tif 000006
【０１２９】
受信器でのＯＣＣの逆拡散からのチャネル推定は、ＤＭ−ＲＳシンボルが存在する３つのサブキャリアの各々に対して、時間ドメインに沿って行われるのみであり得る。ＲＢ内部の他の周波数−時間場所のチャネル推定は、（例えば、それらの３つの推定からの）補間および／または外挿法により行われ得る。この方法に基づくチャネル推定は、ＲＢ内部で時間ドメインおよび周波数ドメインの両方において変動するチャネルに対して正確でない場合がある。
【０１３０】
拡張ＤＭ−ＲＳ構造および／またはマッピングに対して、ＯＣＣ系列の順序は、周波数ドメインおよび時間ドメインの両方にわたる逆拡散が可能であり得るように、中間のサブキャリア（例えばｍ’＝１）において変更され得る。したがって、通常のサイクリックプレフィックスに対しては次式となる。
【０１３１】
【数６】
0005838266.tif 000007
【０１３２】
ただし、
【０１３３】
【数７】
0005838266.tif 000008
【０１３４】
である。
【０１３５】
図１０は、拡張ＯＣＣ分配と呼ばれる場合がある、拡張ＤＭ−ＲＳに対する一例ＯＣＣ分配を図示する。拡張ＯＣＣ分配は、（例えば、図７に図示される一例拡張ＤＭ−ＲＳ構造および／またはマッピングを使用する）ＯＣＣ系列分配の修正であり得る。ＯＣＣの逆拡散に基づく７つの異なるチャネル推定値が得られ得る。チャネル推定値は、ＲＢ内部の７つの異なる時間−周波数場所においてのチャネルを表すために使用され得る。２次元補間および／または外挿法が、ＲＢ内部の任意のＲＥに対するチャネル推定を得るために使用され得る。
【０１３６】
周波数ドメインにおいての参照信号（ＲＳ）マッピングのために、参照信号系列ｒ（ｍ）の周波数ドメインにおいてのマッピングパターンが、（例えば、ＲＳ対ＲＥマッピング式においてのサブキャリアインデックスｋを使用して）修正され得る。例えば次式となる。
【０１３７】
【数８】
0005838266.tif 000009
【０１３８】
上式は、アンテナポートｐ＝７、ｐ＝８、または、ｐ＝７、８、…、ｖ＋６、および通常のＣＰに対してのものであり、ｋは、上記のマッピング式に対して次式のように決定され得る。
【０１３９】
【数９】
0005838266.tif 000010
【０１４０】
拡張キャリアおよび／またはキャリアセグメントに対してｋは、例えば周波数ホッピングのために修正される場合があり、その結果、所与のＵＥに対するＤＭ−ＲＳ伝送のために使用されるサブキャリアのセットの、またはそのサブキャリアのサブセットの周波数ホッピングが、サブフレームおよび／または無線フレーム単位で遂行され得る。ＤＭ−ＲＳ伝送のための周波数ホッピングは、拡張キャリアおよび／もしくはキャリアセグメントごとに、ならびに／または、ＵＥごとに、（例えば、使用可能および／または使用不可能を含めて）構成され得る。
【０１４１】
アンテナポート５に対して、他のアンテナポート（例えば、ポート７、８、…、ｖ＋６）に対して、セル固有の（またはＵＥ固有の）周波数シフトｖｓｈｉｆｔが、例えば次式のようにｋに含まれ得る。
【０１４２】
【数１０】
0005838266.tif 000011
【０１４３】
ここで
【０１４４】
【数１１】
0005838266.tif 000012
【０１４５】
および
【０１４６】
【数１２】
0005838266.tif 000013
【０１４７】
は、セル固有の、および／もしくはＵＥ固有の周波数シフトである場合があり、セルＩＤおよび／もしくはＵＥ  ＩＤの関数である場合があり、ならびに／または、同じ値にセットされる場合がある。アンテナポート５（例えばＴＭ５）に対して、セル固有の周波数シフトｖｓｈｉｆｔが修正され得る。
【０１４８】
ＤＭ−ＲＳ性能が改善され得る。例えば拡張ＤＭ−ＲＳの密度は、ＤＭ−ＲＳ伝送のために使用されるＯＦＤＭシンボルの数を増大することにより、ＲＢにおいてＤＭ−ＲＳに対してマッピングされるＲＥの数を増大することにより、ならびに／または、ＯＦＤＭシンボルの数およびＲＥの数を両方増大することにより増大され得る。
【０１４９】
（例えば、拡張キャリアおよび／またはキャリアセグメントに対する）ＤＭ−ＲＳオーバーヘッドを低減するために、拡張ＤＭ−ＲＳの密度は、（例えば、図９Ａ〜Ｂに図示されるように）時間ドメインおよび周波数ドメインにおいて、より低くなる場合がある。
【０１５０】
ＭＢＳＦＮサブフレームでは、所与のＵＥに対するＰＤＳＣＨが、サービングセルに対して構成されるキャリアセグメントにおいて送信されるならば、拡張ＤＭ−ＲＳは、非ＭＢＳＦＮサブフレームの対応するキャリアセグメントにおいてのように送信され得る。拡張されたＣＰに対して規定される拡張ＤＭ−ＲＳが、キャリアセグメントに対して使用され得る。
【０１５１】
ＤＭ−ＲＳ伝送は、（例えば、拡張キャリアに対して構成されるＴＭに依存して）拡張キャリアごとに、および／またはＷＴＲＵごとに構成され得る。ＤＭ−ＲＳ伝送は、（例えば、キャリアセグメントに対して構成されるＴＭに依存して）サービングセルのキャリアセグメントごとに、および／またはＵＥごとに構成され得る。
【０１５２】
拡張ＤＭ−ＲＳ（例えば、ＵＥ固有のＤＭ−ＲＳ構造および／またはマッピング）は、拡張キャリアおよび／もしくはキャリアセグメントの使用がＵＥに対して構成されるとき、ならびに／または、拡張ＤＭ−ＲＳがＵＥに対して活動化されるとき、使用され得る。
【０１５３】
ＣＲＳは、例えばＴＭ１〜６に対するデータ復調、および／または、ＴＭ１〜８に対するＣＱＩレポーティングを含む、拡張キャリアおよび／またはキャリアセグメントにおいてのいくつかの目的のために使用され得る。ＣＲＳは、ＵＥでの同期動作を支援するために使用され得る。
【０１５４】
ＣＲＳは、拡張キャリアおよび／もしくはキャリアセグメントが構成されるとき、ならびに／または、拡張キャリアおよび／もしくはキャリアセグメントが活動化されるとき、拡張キャリアおよび／またはキャリアセグメント上で送信され得る。
【０１５５】
ＣＲＳは、例えば、拡張キャリアおよび／またはキャリアセグメントを用いて構成されるＵＥが、ＣＲＳに基づく測定を遂行して、例えば、ＣＳＩ、ならびに／または、キャリア固有の時間および／もしくは周波数トラッキングおよび／もしくは同期を取得することが可能であるように、拡張キャリアおよび／またはキャリアセグメント上で送信され得る。
【０１５６】
ＣＳＩ−ＲＳは、拡張キャリアおよび／またはキャリアセグメント上で送信され得る。例えばＵＥは、サービングセルの拡張キャリアおよび／またはキャリアセグメントを用いて構成され得る。ＵＥが、拡張キャリアおよび／またはキャリアセグメント上でＣＳＩ−ＲＳをサポート可能であるＴＭ（例えばＴＭ９）を用いて構成されるならば、ＵＥに対するＣＳＩは拡張キャリア上で送信され得る。拡張キャリアおよび／またはキャリアセグメントに対してＣＲＳを構成する一例が、本明細書で説明され得る。
【０１５７】
拡張キャリアおよび／またはキャリアセグメントにおいてのＣＲＳ（例えば、その構造）は、プライマリキャリアＣＲＳ構造（例えば、ＬＴＥ  Ｒ１０でのＣＲＳ）において使用され得るＯＦＤＭシンボルの数より少ない、サブフレーム内でＣＲＳ伝送のために使用されるＯＦＤＭシンボルを含み得る。
【０１５８】
図１１〜１３は、拡張キャリアおよび／またはキャリアセグメントにおいて（図ではＣＳと図示される）ＣＲＳを実装するための、一例のＣＲＳマッピングおよび／または構成を図示する。一例のマッピングおよび／または構成は、（例えば、４つのアンテナポートおよび通常のＣＰを使用する）サブフレーム内でＣＲＳによって占有され得るＯＦＤＭシンボルのそれぞれの数に関して図示されている。
【０１５９】
図１２に図示される一例のＣＲＳマッピングおよび／または構成では、ＣＲＳは、サブフレーム内の第２のタイムスロット（例えばＴＳ２）のみにおいて送信され得るものであり、そのように送信され得ることが、（例えば、ＬＴＥ  Ｒ１０に対しての）約５０％ＣＲＳオーバーヘッド低減をもたらす場合がある。ＲＢごとにＣＲＳ伝送のために使用されるＲＥの数は、各々のアンテナポートに対して、および／または、アンテナポートの一部に対して構成され得る。例えばアンテナポート０および１は、ＣＲＳ伝送のためにＲＢごとに４つのＲＥを使用するように構成される場合があり、アンテナポート２および３は、ＣＲＳ伝送のためにＲＢごとに２つのＲＥを使用するように構成される場合がある。ＣＲＳ構成は、（例えば、ＲＲＣシグナリングおよび／またはブロードキャストシグナリングによって）拡張キャリアおよび／またはキャリアセグメントを用いて構成される、１または複数のＵＥに提供され得る。構成シグナリングは、拡張キャリアにリンクされるサービングセルから、および／またはＰＣｅｌｌから提供され得る。
【０１６０】
拡張キャリアおよび／またはキャリアセグメントに対して、時間ドメインおよび／または周波数ドメインにおいて、より低い密度を伴うＣＲＳ伝送は、いくつかのＵＥ測定、例えばＣＱＩレポーティング、タイミングトラッキングおよび／もしくは同期、ならびに／または、周波数トラッキングおよび／もしくは同期を遂行することが可能である。
【０１６１】
ＣＲＳは、拡張キャリアおよび／またはキャリアセグメントにおいてのある決まったサブフレームで（例えば、拡張キャリアおよび／またはキャリアセグメントにおいての１または複数の無線フレームのある決まったサブフレームで）のみ送信されるように構成され得る。例えばＣＲＳ伝送の周期性が、拡張キャリアおよび／またはキャリアセグメントに対して構成され得るとともに、（例えば、ＲＲＣシグナリングおよび／またはブロードキャストシグナリングによって）拡張キャリアおよび／またはキャリアセグメントを用いて構成される、１または複数のＵＥに提供され得る。周期性は、１または複数のＵＥにより受信される構成のパラメータを含み得る。パラメータは、ＣＲＳを搬送するサブフレームの周期性を指示し得る。構成シグナリングは、拡張キャリアにリンクされるサービングセルから、および／またはＰＣｅｌｌから提供され得る。１または複数の拡張キャリアおよび／またはキャリアセグメントは、（例えば、キャリア上のＣＲＳ伝送の周期性を無限大の値にセットすることにより、および／または、キャリアに対するパラメータをセットすることにより）ＣＲＳを搬送しないように構成され得る。
【０１６２】
ＣＲＳに対する伝送サブフレームおよび／またはアンテナポートは、例えばオーバーヘッドを低減するために、同様にＣＳＩ−ＲＳに対して構成され得る。
【０１６３】
拡張キャリアおよび／またはキャリアセグメント上のＣＲＳ伝送は、拡張キャリアおよび／またはキャリアセグメントがサポートし得る、伝送モード、または複数のモードに依存的に構成され得る。例えば、拡張キャリアおよび／またはキャリアセグメントがＴＭ９のみをサポートするならば、拡張ＣＲＳはキャリア上で送信され得ない。別の例によれば、拡張キャリアおよび／またはキャリアセグメントが複数のＴＭをサポートするならば、ＣＲＳは、拡張キャリアおよび／またはキャリアセグメント上で送信されるように構成され得る。構成シグナリングは、拡張キャリアにリンクされるサービングセルから提供され得る。
【０１６４】
拡張ＣＲＳ伝送に対するアンテナポートの数は、各々の拡張キャリアおよび／またはキャリアセグメントに対して構成され得る。アンテナ構成は、（例えば、ＲＲＣシグナリングおよび／またはブロードキャストシグナリングによって）拡張キャリアおよび／またはキャリアセグメントを用いて構成される、１または複数のＵＥに提供され得る。構成シグナリングは、拡張キャリアにリンクされるサービングセルから、および／またはＰＣｅｌｌから提供され得る。キャリア上のＣＲＳ伝送に対するアンテナ構成は、同じキャリア上のＤＭ−ＲＳおよび／またはＣＳＩ−ＲＳに対するそれとは無関係であり得る。ＣＲＳ伝送に対するアンテナポートのセットは、例えば、拡張キャリアおよび／またはキャリアセグメントに対して、ただ２つのアンテナポート（例えばアンテナポート０および１）に限定され得る。リンクされるサービングセルおよび／またはＰＣｅｌｌに対するアンテナ構成が、１または複数の拡張キャリアおよび／またはキャリアセグメントに適用され得る。
【０１６５】
拡張キャリアおよび／またはキャリアセグメントの帯域幅の全体にわたってＣＲＳを送信するのではなく、キャリアに対するＣＲＳは、（例えば、キャリアを用いて構成されるＵＥまたはＵＥの群に対する、１または複数の対応するＰＤＳＣＨがマッピングされ得るＲＢを含む）ＲＢの限定されたセット上でのみ送信され得る。拡張ＣＲＳが送信され得る帯域幅は、（例えば、拡張キャリアにリンクされるサービングセルからの、および／またはＰＣｅｌｌからの、ＲＲＣシグナリングおよび／またはブロードキャストシグナリングによって）ＵＥまたはＵＥの群に対して構成および／または提供され得る。
【０１６６】
他のＣＲＳパラメータが、拡張キャリアおよび／またはキャリアセグメントに対して構成され得る。例えば、異なるＣＲＳに対して周波数ドメインにおいての位置を規定し得る、変数ｖ、および、セル固有の周波数シフトｖｓｈｉｆｔが、拡張キャリアに対して異なるように決定され得る。例えばｖｓｈｉｆｔは、拡張キャリアに対して０にセットされ得る。したがって拡張キャリアおよび／またはキャリアセグメントに対して、周波数ドメインにおいてのＣＲＳマッピングパターンおよび／または位置は、（例えば、ＬＴＥ  Ｒ１０に対して）異なる場合がある。
【０１６７】
周波数ドメインにおいてのＣＲＳの密度（例えば、ＣＲＳがＲＢ内部でマッピングされ得るＲＥの数）が、拡張キャリアに対して構成され得る。例えば、ＲＢごとにＯＦＤＭシンボルごとに１つのＲＥが、拡張キャリア上のＣＲＳ伝送のために使用され得る。
【０１６８】
ＣＲＳ伝送、および／または、ＣＲＳに関係するパラメータのセットは、拡張キャリアおよび／もしくはキャリアセグメントごとに、または、拡張キャリアおよび／もしくはキャリアセグメントの群ごとに構成され得る。拡張キャリアおよび／またはキャリアセグメント上のＣＲＳ伝送は、拡張キャリアおよび／またはキャリアセグメントに対して使用されるＣＰタイプ（例えば、通常のＣＰ、または拡張されたＣＰ）に依存して構成され得る。構成に関係するシグナリングが、拡張キャリアにリンクされるサービングセルから、／またはＰＣｅｌｌから、および／または別のサービングセルから提供され得る。
【０１６９】
ＣＲＳは、構成される場合、（例えばＰＭＣＨが、いずれの拡張キャリアおよび／またはキャリアセグメント上でも搬送され得ない場合に）ＭＢＳＦＮサブフレーム内の拡張キャリアおよび／またはキャリアセグメント上で送信され得る。ＭＢＳＦＮサブフレームでは、ＰＤＳＣＨが、サービングセルに対して構成されるキャリアセグメントにおいて送信されるならば、ＰＤＳＣＨ伝送は、非ＭＢＳＦＮサブフレームに対応するキャリアセグメントに対する実質的に同じＣＲＳ構成を使用し得る。ＣＲＳは、ＭＢＳＦＮサブフレームのＭＢＳＦＮ領域に対応するキャリアセグメントのＯＦＤＭシンボルにおいて送信されない場合があり、または、いかなるＭＢＳＦＮサブフレーム内でもキャリアセグメントにおいて送信されない場合がある。ＭＢＳＦＮサブフレームでは、拡張ＣＰに対して規定される拡張ＣＲＳは、キャリアセグメントに対して使用され得る。
【０１７０】
ＣＲＳ伝送は、（例えば、拡張キャリアに対してサポートされるＴＭに依存して）拡張キャリアごとに構成され得る。ＣＲＳ伝送は、（例えば、キャリアセグメントに対してサポートされるＴＭに依存して）サービングセルのキャリアセグメントごとに構成され得る。本明細書で説明されるＣＲＳ構成の任意の組み合わせが、１または複数の拡張キャリアおよび／またはキャリアセグメントのＣＲＳ構成のために適用され得ることが十分認識されるべきである。
【０１７１】
（例えば、本明細書で説明されたような）ＣＲＳ構造および／またはマッピング構成および／またはパターンのセットは、拡張キャリアおよび／またはキャリアセグメントに対して、予め規定されたものであり得るとともに、構成可能であり得る。ＣＲＳ構造および／またはマッピング構成および／またはパターン（例えば、ＣＲＳ構造および／またはマッピング構成および／またはパターンのセット）は、１または複数のＵＥを構成するために使用され得る。例えばＵＥは、拡張キャリアおよび／またはキャリアセグメントを用いて構成されることに応答して、（例えば、ＲＲＣシグナリングおよび／またはブロードキャストシグナリングによって）１または複数の（例えばセットの）ＣＲＳ構造および／またはマッピング構成および／またはパターンを用いて構成され得る。拡張キャリアおよび／もしくはキャリアセグメント、ならびに／または、任意のＣＲＳ構造および／もしくはマッピング構成および／もしくはパターンを用いて前に構成されたＵＥは、（例えば、ＲＲＣシグナリングおよび／またはブロードキャストシグナリングによって）１または複数の（例えばセットの）ＣＲＳ構造および／またはマッピング構成および／またはパターンを用いて再構成され得る。
【０１７２】
ＣＳＩ−ＲＳ構造および／または設計は、拡張キャリアおよび／またはキャリアセグメントに対して構成され得る。例えばＣＳＩ−ＲＳは、ＵＥでの拡張キャリアおよび／またはキャリアセグメントに対して同期動作を支援するために使用され得る。
【０１７３】
アンテナポートは、ＣＳＩ−ＲＳに対して再規定され得る。ＣＳＩ−ＲＳ伝送は、（例えば、拡張キャリアに対して構成されるＴＭに依存して）拡張キャリアごとに、および／またはＵＥごとに構成され得る。ＣＳＩ−ＲＳ伝送は、（例えば、キャリアセグメントに対して構成されるＴＭに依存して）サービングセルのキャリアセグメントごとに、および／またはＵＥごとに構成され得る。
【０１７４】
（例えば、本明細書で説明されたような）ＣＳＩ−ＲＳ構造および／またはマッピング構成および／またはパターンのセットは、拡張キャリアおよび／またはキャリアセグメントに対して、予め規定されたものであり得るとともに、構成可能であり得る。ＣＳＩ−ＲＳ構造および／またはマッピング構成および／またはパターン（例えば、ＣＳＩ−ＲＳ構造および／またはマッピング構成および／またはパターンのセット）は、１または複数のＵＥを構成するために使用され得る。例えばＵＥは、拡張キャリアおよび／またはキャリアセグメントを用いて構成されることに応答して、（例えば、Ｌ１シグナリングまたはＬ２／３シグナリングによって）１または複数の（例えばセットの）ＣＳＩ−ＲＳ構造および／またはマッピング構成および／またはパターンを用いて構成され得る。拡張キャリアおよび／もしくはキャリアセグメント、ならびに／または、任意のＣＲＳ構造および／もしくはマッピング構成および／もしくはパターンを用いて前に構成されたＵＥは、（例えば、Ｌ１シグナリングまたはＬ２／３シグナリングによって）１または複数の（例えばセットの）ＣＳＩ−ＲＳ構造および／またはマッピング構成および／またはパターンを用いて再構成され得る。
【０１７５】
特徴および要素が個別の組み合わせで、上記で説明されているが、当業者は、各々の特徴または要素が、単独で、または他の特徴および要素と任意に組み合わせて使用され得ることを十分認識するであろう。加えて本明細書で説明された方法は、コンピュータまたはプロセッサによる実行のためにコンピュータ可読媒体に組み込まれる、コンピュータプログラム、ソフトウェア、またはファームウェアの形で実装され得る。コンピュータ可読媒体の一例は、（有線またはワイヤレス接続を介して送信される）電子信号、およびコンピュータ可読記憶媒体を含む。コンピュータ可読記憶媒体の一例は、次のものに限らないが、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびに、ＣＤ−ＲＯＭディスクおよびデジタルバーサタイルディスク（ＤＶＤ）などの光学式媒体を含む。ソフトウェアとともにプロセッサは、ＷＴＲＵにおいて使用するための無線周波数トランシーバ、ＷＴＲＵ、端末、基地局、ＲＮＣ、または任意のホストコンピュータを実装するために使用され得る。１または複数の一例の実施形態によって本明細書で説明された特徴および／または要素は、１または複数の他の一例の実施形態によって本明細書で説明された特徴および／または要素と組み合わせて使用され得る。例えばＵＥは、拡張ＤＭ−ＲＳ構造および／もしくはマッピング、拡張キャリアおよび／もしくはキャリアセグメントに対するＣＲＳ、ならびに／または、拡張キャリアおよび／もしくはキャリアセグメントに対するＣＳＩ−ＲＳによって、任意の組み合わせで構成され得る。
【図１Ａ】
0005838266.tif 000014
【図１Ｂ】
0005838266.tif 000015
【図１Ｃ】
0005838266.tif 000016
【図１Ｄ】
0005838266.tif 000017
【図１Ｅ】
0005838266.tif 000018
【図２】
0005838266.tif 000019
【図３】
0005838266.tif 000020
【図４】
0005838266.tif 000021
【図５】
0005838266.tif 000022
【図６】
0005838266.tif 000023
【図７】
0005838266.tif 000024
【図８】
0005838266.tif 000025
【図９Ａ】
0005838266.tif 000026
【図９Ｂ】
0005838266.tif 000027
【図１０】
0005838266.tif 000028
【図１１】
0005838266.tif 000029
【図１２】
0005838266.tif 000030
【図１３】
0005838266.tif 000031